(57)【要約】発明は、紡織繊維で造られる品を水性媒体又は湿った媒体中で処理するのに使用する組成物用の予備配合された添加物に関する。発明の添加物は、下記を含む：マトリックス（Ｍ）中に分散され及び／又はマトリックス（Ｍ）によって封入される粒状の固体有機ポリマー（Ｐ）；及びマトリックス（Ｍ）／ポリマー（Ｐ）界面における界面活性剤（Ｓ）。該マトリックス（Ｍ）は、上述した媒体中に可溶性又は分散可能であり、ポリマー（Ｐ）は、該媒体に不溶性でありかつ該媒体にナノ粒子の形態で分散することができる。発明は、また、該予備配合された添加物の、清浄性配合物、すすぎ及び／又は軟化用配合物における紡織繊維で造られる品用ケア製品として、特に防しわ剤として、乾燥用及び洗浄用添加物としての使用にも関する。【特許請求の範囲】
【請求項１】
下記：
少なくとも一種の有機又は無機化合物で造られるマトリックス（Ｍ）中に分散され及び／又はマトリックス（Ｍ）によって封入される少なくとも一種の粒状の固体有機ポリマー（Ｐ）
及びマトリックス（Ｍ）／ポリマー（Ｐ）界面における少なくとも一種の界面活性剤（Ｓ）
を含み、
該マトリックス（Ｍ）は、水性又は湿式媒体中に可溶性又は分散可能であり、
該ポリマー（Ｐ）は、該媒体に不溶性でありかつ該媒体にナノ粒子の形態で分散することができることを特徴とする、紡織繊維品を該媒体中で処理するための組成物用の予備配合された添加物。
【請求項２】
乾燥基準で表して、下記：
予備配合された添加物の重量の５〜９０％、好ましくは１０〜６０％のポリマー（Ｐ）、
予備配合された添加物の重量の３〜９０％、好ましくは１０〜８０％、最も特に１５〜７５％のマトリックス（Ｍ）、
重量により０．０１〜２０％、好ましくは０．０２〜５％の界面活性剤（Ｓ）
を含むことを特徴とする請求項１に記載の予備配合された添加物。
【請求項３】
前記ポリマー（Ｐ）が、ガラス転移温度Ｔｇ−４０°〜１５０℃、好ましくは−４０°〜１００℃、最も特に−４０°〜４０℃を有することを特徴とする請求項１又は２に記載の予備配合された添加物。
【請求項４】
ポリマー（Ｐ）のナノ粒子が、直径１０〜５００ｎｍ、好ましくは２０〜３００ｎｍ、最も特に２０〜１００ｎｍ、なお一層特に２０〜５０ｎｍを有することを特徴とする請求項１〜３のいずれか一に記載の予備配合された添加物。
【請求項５】
マトリックス（Ｍ）を形成することができる化合物を、下記の水溶性又は水分散性有機及び無機化合物：
天然又は合成起源の水溶性又は水分散性ポリペプチド（ＰＰ）、
分子質量が２００００ｇ／モルよりも小さい、好ましくは分子質量が１０００〜５０００ｇ／モルの、弱多酸の系統に属する酸形態の高分子電解質（ＰＥ）、
分子質量が４０００〜１０００００ｇ／モルのポリエチレングリコール（ＰＥＧ）、
分子質量が２００００ｇ／モルよりも小さい、好ましくは分子質量が１０００〜１００００ｇ／モルのポリビニルピロリドン（ＰＶＰ）、
分子質量が１０００００ｇ／モルよりも小さく、好ましくは脱アセチル化値８０〜９９モル％、好ましくは８７〜９５モル％を有するポリビニルアルコール（ＰＶＡ）、
水溶性又は水分散性フィルム形成性両性ポリマー（ＡＰ）、
水溶性又は水分散性単糖類、糖類又は多糖類（Ｏ）、
アミノ酸（ＡＡ）又はアミノ酸の水溶性もしくは水分散性塩
尿素
界面活性剤（ＴＡ）であって、それらの水−界面活性剤二成分状態図が、２５℃において界面活性剤の濃度少なくとも５０重量％までで流動性の等方性相、次いで一層高い濃度で、少なくとも６０℃まで安定な六方タイプ又は立方タイプの硬質な液晶相を含むもの
水溶性又は水分散性のアルカリ金属もしくはアルカリ土類金属シリケート（Ｓｉｌ）及びホスフェート（Ｐｈｏｓ）
或はこれらの混合物
から選ぶことを特徴とする請求項１〜４のいずれか一に記載の予備配合された添加物。
【請求項６】
マトリックス（Ｍ）／ポリマー（Ｐ）界面における界面活性剤が、イオン系、アニオン系、カチオン系又は両性系であることを特徴とする請求項１〜５のいずれか一に記載の予備配合された添加物。
【請求項７】
前記添加物を、乾燥外観を有する固体形態で供することを特徴とする請求項１〜６のいずれか一に記載の予備配合された添加物。
【請求項８】
前記添加物が粉末又はグラニュールの形態であることを特徴とする請求項７に記載の予備配合された添加物。
【請求項９】
マトリックス（Ｍ）を形成することができる水溶性又は水分散性化合物を少なくとも一種の界面活性剤（Ｓ）の存在においてポリマー（Ｐ）のナノラテックスに加え；
次いで水を除き／得られた分散体を乾燥させる
ことによって得ることができることを特徴とする請求項１〜８のいずれか一に記載の予備配合された添加物。
【請求項１０】
前記ナノラテックスが、平均粒子サイズ１０〜５００ｎｍ、好ましくは２０〜３００ｎｍ、最も特に１０〜２００ｎｍ、なお一層特に２０〜５０ｎｍを有することを特徴とする請求項９に記載の予備配合された添加物。
【請求項１１】
ポリマー（Ｐ）のナノラテックス、界面活性剤（Ｓ）及びマトリックス（Ｍ）を形成することができる水溶性又は水分散性化合物のそれぞれの量を、得られた分散体が、乾燥基準で表して、下記：
５〜９０重量％、好ましくは１０〜６０重量％のポリマー（Ｐ）、
３〜９０％、好ましくは１０〜８０％、最も特に１５〜７０％のマトリックス（Ｍ）を形成することができる水溶性又は水分散性化合物、
０．０１〜２０重量％、好ましくは０．０２〜５重量％の界面活性剤（Ｓ）
を含有するようにし、
該分散体の乾燥抽出物が５〜６０％、好ましくは１０〜５０％であることを特徴とする請求項９又は１０に記載の予備配合された添加物。
【請求項１２】
水を除き／ポリマー（Ｐ）のナノ粒子及びマトリックス（Ｍ）を形成することができる化合物の水性分散体を乾燥させる作業をスプレー−乾燥によって実施することを特徴とする請求項９〜１１のいずれか一に記載の予備配合された添加物。
【請求項１３】
前記ポリマー（Ｐ）が、下記：
処理組成物の作業ｐＨにおいて荷電していない又は非イオン化性の疎水性モノマー単位（Ｎ）、
随意に下記のモノマー単位：
該組成物の作業ｐＨにおいてカチオン性又はカチオン化性の（Ｆ１）、
該組成物の作業ｐＨにおいて両性の（Ｆ２）、
該組成物の作業ｐＨにおいてアニオン性又はアニオン化性の（Ｆ３）、
該組成物の作業ｐＨにおいて親水性の荷電していない又は非イオン化性の（Ｆ４）、
又はこれらの混合物
から選ぶ少なくとも一種の親水性モノマー単位（Ｆ）
及び随意に少なくとも一種の架橋性単位（Ｒ）
を含むことを特徴とする請求項１〜１２のいずれか一に記載の予備配合された添加物。
【請求項１４】
前記モノマー単位（Ｎ）及び（Ｆ）がα−βモノエチレン性不飽和モノマーに由来し、随意のモノマー単位（Ｒ）がジエチレン性不飽和モノマーに由来することを特徴とする請求項１３に記載の予備配合された添加物。
【請求項１５】
疎水性モノマー単位（Ｎ）が、ビニル芳香族モノマー、α−βモノエチレン性不飽和酸のアルキルエステル、飽和カルボン酸のビニルもしくはアリルエステル、α−βモノエチレン性不飽和ニトリル又はα−オレフィンに由来することを特徴とする請求項１３又は１４に記載の予備配合された添加物。
【請求項１６】
カチオン性又はカチオン化性の親水性単位（Ｆ１）が、α−βモノエチレン性不飽和カルボン酸のＮ，Ｎ−（ジアルキルアミノ−ω−アルキル）アミド、α−βモノエチレン性不飽和アミノエステル又は加水分解による第一アミン機能の前駆物質であるモノマーに由来することを特徴とする請求項１３〜１５のいずれか一に記載の予備配合された添加物。
【請求項１７】
両性の親水性単位（Ｆ２）が、Ｎ，Ｎ−ジメチル−Ｎ−メタクリロイルオキシエチル−Ｎ−（３−スルホプロピル）アンモニウムスルホベタイン、Ｎ，Ｎ−ジメチル−Ｎ−（２−メタクリルアミドエチル）−Ｎ−（３−スルホプロピル）アンモニウムベタイン、１−ビニル−３−（３−スルホプロピル）イミダゾリジウムベタイン、１−（３−スルホプロピル）−２−ビニルピリジニウムベタイン、α−βエチレン性不飽和カルボン酸のＮ−（ジアルキルアミノ−ω−アルキル）アミド、又はエチレン性不飽和アミノエステルのアルカリ金属又はプロパンスルトンのクロロアセテートによる四級化反応の誘導体に由来することを特徴とする請求項１３〜１６のいずれか一に記載の予備配合された添加物。
【請求項１８】
アニオン性又はアニオン化性の親水性単位（Ｆ３）が、カルボキシリック官能基を少なくとも１つ含有するα−βモノエチレン性不飽和モノマー、スルフェート又はスルホネート官能基を少なくとも１つ含有するα−βモノエチレン性不飽和モノマー、ホスホネート又はホスフェート官能基を少なくとも１つ含有するα−βモノエチレン性不飽和モノマー、及びこれらの水溶性塩、或は加水分解によるカルボキシレート官能基の前駆物質であるα−βモノエチレン性不飽和モノマーに由来することを特徴とする請求項１３〜１７のいずれか一に記載の予備配合された添加物。
【請求項１９】
荷電していない又は非イオン化性の親水性単位（Ｆ４）が、α−βエチレン性不飽和酸のヒドロキシアルキルエステル、、α−βエチレン性不飽和酸アミド、水溶性ポリオキシアルキレン化セグメントを保持するα−βエチレン性不飽和モノマー、ビニルアルコール単位又はポリビニルアルコールセグメントの重合及び次いで加水分解による前駆物質であるα−βエチレン性不飽和モノマー、或はメタクリルアミドエチル−２−イミダゾリジノンに由来することを特徴とする請求項１３〜１８のいずれか一に記載の予備配合された添加物。
【請求項２０】
架橋性単位（Ｒ）が、ジビニルベンゼン、エチレングリコールジメタクリレート、アリルメタクリレート、メチレンビス（アクリルアミド）、グリオキサールビス（アクリルアミド）又はブタジエンに由来することを特徴とする請求項１３〜１９のいずれか一に記載の予備配合された添加物。
【請求項２１】
ポリマー（Ｐ）の全質量の少なくとも７０％が疎水性単位（Ｎ）から形成され、それらが存在する時に、親水性単位（Ｆ）がポリマー（Ｐ）の全質量の３０％以下に相当し、架橋性単位（Ｒ）がポリマー（Ｐ）の全質量の２０％以下、好ましくは１０％以下、最も特に５％以下に相当することを特徴とする請求項１３〜２０のいずれか一に記載の予備配合された添加物。
【請求項２２】
ポリマー（Ｐ）が、下記：
その重量の少なくとも７０％の疎水性モノマー単位（Ｎ）
随意にその重量の少なくとも１％、好ましくは３〜３０％の荷電していない又は非イオン化性の親水性モノマー単位（Ｆ４）
随意にその重量の２０％以下、好ましくは１０％以下の荷電していない又は非イオン化性の架橋性単位（Ｒ）
を含む荷電していない又は非イオン化性のポリマー（Ｐ１）であることを特徴とする請求項２１に記載の予備配合された添加物。
【請求項２３】
ポリマー（Ｐ）が、アニオン性又はアニオン化性の単位を含有しかつカチオン性又はカチオン化性の単位が存在せず、下記：
その重量の少なくとも７０％の疎水性モノマー単位（Ｎ）
その重量の少なくとも１％、好ましくは３〜３０％、最も特に１〜２０％のアニオン性又はアニオン化性の親水性モノマー単位（Ｆ３）
随意にその重量の２９％以下の荷電していない又は非イオン化性の親水性モノマー単位（Ｆ４）
を含むポリマー（Ｐ２）であることを特徴とする請求項２１に記載の予備配合された添加物。
【請求項２４】
ポリマー（Ｐ）が、両性の単位を含有し、下記：
その重量の少なくとも７０％の疎水性モノマー単位（Ｎ）
その重量の少なくとも０．１％、好ましくは２０％以下、最も特に１０％以下の両性の親水性モノマー単位（Ｆ２）
随意に荷電していない又は非イオン化性の親水性モノマー単位（Ｆ４）
随意にカチオン性又はカチオン化性の親水性モノマー単位（Ｆ１）
を含むポリマー（Ｐ３）であり、
親水性モノマー単位（Ｆ）の組合せは、好ましくはポリマー（Ｐ３）の重量の少なくとも１％に相当し、カチオン電荷対アニオン電荷のモル比は、該処理組成物の所望の使用に応じて１／９９〜８０／２０の範囲になり得ることを特徴とする請求項２１に記載の予備配合された添加物。
【請求項２５】
ポリマー（Ｐ）が、カチオン性又はカチオン化性単位及びアニオン性又はアニオン化性単位の両方を含有し、下記：
その重量の少なくとも７０％の疎水性モノマー単位（Ｎ）
カチオン性又はカチオン化性の親水性モノマー単位（Ｆ１）
アニオン性又はアニオン化性の親水性モノマー単位（Ｆ３）
随意に両性の親水性モノマー単位（Ｆ２）
随意に荷電していない又は非イオン化性の親水性モノマー単位（Ｆ４）
を含むポリマー（Ｐ４）であり、
親水性モノマー単位（Ｆ）の組合せは、好ましくはポリマー（Ｐ４）の重量の少なくとも１％に相当し、カチオン電荷対アニオン電荷のモル比は、該処理組成物の所望の使用に応じて１／９９〜８０／２０の範囲になり得ることを特徴とする請求項２１に記載の予備配合された添加物。
【請求項２６】
ポリマー（Ｐ）が、カチオン性又はカチオン化性の単位を含有しかつアニオン性又はアニオン化性の単位が存在せず、下記：
その重量の少なくとも７０％の疎水性モノマー単位（Ｎ）
その重量の少なくとも１％、好ましくは３〜３０％、最も特に１〜１０％のカチオン性又はカチオン化性の親水性モノマー単位（Ｆ１）
随意にその重量の２０％以下の荷電していない又は非イオン化性の親水性モノマー単位（Ｆ４）
を含むポリマー（Ｐ５）であることを特徴とする請求項２１に記載の予備配合された添加物。
【請求項２７】
加えて、ポリマー（Ｐ）の粒子中に封入された状態で、紡織繊維品を処理するための組成物中に通常存在する疎水性の活性物質、好ましくは疎水性の清浄性活性物質から選ぶ少なくとも一種の疎水性の活性物質（ＡＭ）を含むことを特徴とする請求項１〜２６のいずれか一に記載の予備配合された添加物。
【請求項２８】
活性物質（ＡＭ）の量がポリマー（Ｐ）１００重量部当たり２０〜７０重量部、好ましくは４０〜６０重量部の範囲であることを特徴とする請求項２７に記載の予備配合された添加物。
【請求項２９】
ポリマー（Ｐ）のナノ粒子による疎水性の活性物質（ＡＭ）の封入を、該活性物質（ＡＭ）をナノラテックスの形態で存するポリマー（Ｐ）の該粒子中に導入することによって実施し、活性物質（ＡＭ）の導入を、水性エマルション中で重合することによって該ポリマーを実合成する間か又は水性エマルション中で重合することによって該ポリマーを合成した後のいずれかで実施することを特徴とする請求項２７又は２８に記載の予備配合された添加物。
【請求項３０】
請求項１〜２９のいずれか一に記載の主題である予備配合された添加物の、水性媒体又は湿った媒体中で紡織繊維品を処理するための組成物における、該品用ケア剤としての使用。
【請求項３１】
前記品用防しわ剤としての請求項３０に記載の使用。
【請求項３２】
前記組成物が、ポリマー（Ｐ）として表して前記予備配合された添加物を０．０５〜１０％含むことを特徴とする請求項３０又は３１に記載の使用。
【請求項３３】
前記組成物を、
水に希釈した後に、処理すべき品と接触状態に置く、固体又は濃厚な非水性分散体の形態；
乾燥又は湿潤状態で処理すべき品と直接接触状態に置く、前記予備配合された添加物を含む固体支持体の形態
で供することを特徴とする請求項３０〜３２のいずれか一に記載の使用。
【請求項３４】
前記組成物が、下記：
希釈する際に洗浄浴を直接形成することができる、ポリマー（Ｐ）として表して前記予備配合された添加物を０．０５〜５％、好ましくは０．１〜３％含む固体の清浄性配合物；
希釈する際に洗浄浴を直接形成することができる、ポリマー（Ｐ）として表して前記予備配合された添加物を０．０５〜５％、好ましくは０．１〜３％含む非水性液体清浄性配合物；
希釈する際にすすぎ及び／又は軟化用浴を直接形成することができる、ポリマー（Ｐ）として表して前記予備配合された添加物を０．０５〜３％、好ましくは０．１〜２％含むすすぎ及び／又は軟化用配合物；
タンブル乾燥機中で湿った布と接触状態に置くことを意図する、ポリマー（Ｐ）として表して前記予備配合された添加物を０．０５〜１０％、好ましくは０．１〜５％含む固体材料、特に繊維材料におけるタンブル乾燥機添加物；
前記予備配合された添加物を含有する又は含有しない清浄性配合物を使用する洗浄作業の前に乾燥布上に付着させることを意図する、ポリマー（Ｐ）として表して前記予備配合された添加物を０．０５〜１０％、好ましくは０．１〜５％含む洗浄用添加物
であることを特徴とする請求項３０〜３３のいずれか一に記載の使用。
【請求項３５】
請求項２２の主題である、ポリマー（Ｐ１）に、随意に請求項２７〜２９のいずれか一を組み合わせて含む予備配合された添加物の、清浄性配合物における、すすぎ及び／又は軟化用清浄性配合物における、タンブル乾燥機添加物における又は洗浄用添加物における使用。
【請求項３６】
請求項２３の主題である、ポリマー（Ｐ２）に、随意に請求項２７〜２９のいずれか一を組み合わせて含む予備配合された添加物の、清浄性配合物における、タンブル乾燥機添加物における又は洗浄用添加物における使用。
【請求項３７】
請求項２４の主題である、ポリマー（Ｐ３）に、随意に請求項２７〜２９のいずれか一を組み合わせて含む予備配合された添加物の、ポリマー（Ｐ）のカチオン電荷対アニオン電荷の比が１／９９〜８０／２０である時にタンブル乾燥機添加物における、清浄性配合物における又はポリマー（Ｐ３）のカチオン電荷対アニオン電荷の比が１／９９〜６０／４０、好ましくは５／９５〜５０／５０である時に洗浄用添加物における使用。
【請求項３８】
請求項２５の主題である、ポリマー（Ｐ４）に、随意に請求項２７〜２９のいずれか一を組み合わせて含む予備配合された添加物の、ポリマー（Ｐ４）のカチオン電荷対アニオン電荷の比が１／９９〜８０／２０である時にタンブル乾燥機添加物における、ポリマー（Ｐ）のカチオン電荷対アニオン電荷の比が１／９９〜６０／４０、好ましくは５／９５〜５０／５０である時に洗浄用添加物における使用。
【請求項３９】
請求項２６の主題である、ポリマー（Ｐ５）に、随意に請求項２７〜２９のいずれか一を組み合わせて含む予備配合された添加物の、清浄性配合物における、すすぎ及び／又は軟化用配合物における、タンブル乾燥機添加物における又は洗浄用添加物における使用。
【請求項４０】
紡織繊維品を水性媒体又は湿った媒体中で、請求項１〜２９のいずれか一に記載の主題である少なくとも一種の予備配合された添加物、又はそれの使用が請求項３０〜３９のいずれか一に記載の主題であるものを含む処理組成物を使用して処理することによって該品に防しわ性を付与する方法。
【請求項４１】
請求項１〜２９のいずれか一に記載の主題である少なくとも一種の予備配合された添加物を、ポリマー（Ｐ）として表して０．０５〜１０重量含む紡織繊維品ケア用組成物。
【請求項４２】
下記：
水に希釈した後に、処理すべき品と接触状態に置く、固体又は濃厚な非水性分散体の形態；
乾燥又は湿潤状態で処理すべき品と直接接触状態に置く、前記予備配合された添加物を含む固体支持体の形態
で供することを特徴とする請求項４１に記載の組成物。
【請求項４３】
組成物が、下記：
希釈する際に洗浄浴を直接形成することができる、ポリマー（Ｐ）として表して前記予備配合された添加物を０．０５〜５％、好ましくは０．１〜３％含む固体の清浄性配合物；
希釈する際に洗浄浴を直接形成することができる、ポリマー（Ｐ）として表して前記予備配合された添加物を０．０５〜５％、好ましくは０．１〜３％含む固体の非水性液体清浄性配合物；
希釈する際にすすぎ及び／又は軟化用浴を直接形成することができる、ポリマー（Ｐ）として表して前記予備配合された添加物を０．０５〜３％、好ましくは０．１〜２％含むすすぎ及び／又は軟化用配合物；
タンブル乾燥機中で湿った布と接触状態に置くことを意図する、ポリマー（Ｐ）として表して前記予備配合された添加物を０．０５〜１０％、好ましくは０．１〜５％含む固体材料、特に繊維材料におけるタンブル乾燥機添加物；
前記予備配合された添加物を含有する又は含有しない清浄性配合物を使用する洗浄作業の前に乾燥布上に付着させることを意図する、ポリマー（Ｐ）として表して前記予備配合された添加物を０．０５〜１０％、好ましくは０．１〜５％含む洗浄用添加物
であることを特徴とする請求項４１又は４２に記載の組成物。
【請求項４４】
組成物が清浄性配合物であり、前記予備配合された添加物を請求項２２、２３、２４、２６のいずれか一に記載の主題でありかつそれぞれポリマー（Ｐ１）、（Ｐ２）、（Ｐ３）であって、それについてカチオン電荷対アニオン電荷の比が１／９９〜６０／４０、好ましくは５／９５〜５０／５０であるもの、（Ｐ５）を、随意に請求項２７〜２９のいずれか一を組み合わせて含むものから選ぶことを特徴とする請求項４３に記載の組成物。
【請求項４５】
組成物が、すすぎ及び／又は軟化用配合物であり、前記予備配合された添加物を請求項２２又は２６に記載の主題でありかつポリマー（Ｐ１）又は（Ｐ５）を、随意に請求項２７〜２９のいずれか一を組み合わせて含むものから選ぶことを特徴とする請求項４３に記載の組成物。
【請求項４６】
組成物が、タンブル乾燥機添加物であり、前記予備配合された添加物を請求項２２、２３、２４、２５、２６のいずれか一に記載の主題でありかつそれぞれポリマー（Ｐ１）、（Ｐ２）、（Ｐ３）、（Ｐ４）、（Ｐ５）を、随意に請求項２７〜２９のいずれか一を組み合わせて含むものから選ぶことを特徴とする請求項４３に記載の組成物。
【請求項４７】
組成物が洗浄用添加物であり、前記予備配合された添加物を請求項２２、２３、２４、２５、２６のいずれか一に記載の主題でありかつそれぞれポリマー（Ｐ１）、（Ｐ２）、（Ｐ３）であって、それについてカチオン電荷対アニオン電荷の比が１／９９〜６０／４０、好ましくは５／９５〜５０／５０であるもの、（Ｐ４）であって、それについてカチオン電荷対アニオン電荷の比が１／９９〜６０／４０、好ましくは５／９５〜５０／５０であるもの、（Ｐ５）を、随意に請求項２７〜２９のいずれか一を組み合わせて含むものから選ぶことを特徴とする請求項４３に記載の組成物。
【発明の詳細な説明】
【技術分野】
【０００１】
本発明の主題は、紡織繊維品を処理するための組成物用の予備配合された添加物、該添加物を含む組成物であり；本発明の主題は、また、該添加物の、紡織繊維品を処理するための組成物における、該品用ケア剤として、特に防しわ剤としての使用であり；本発明の主題は、また、該処理組成物にも関する。
【０００２】
紡織繊維品のケアなる表現は、紡織繊維品を物理的又は化学的劣化に対して保護し及び／又はそれらに軟化性及び／又は防しわ性のような利点を与えることを意味し；防しわの利点を与えることが一層特に求められる。
【発明の開示】
【課題を解決するための手段】
【０００３】
発明の第一の主題は、下記：
少なくとも一種の有機又は無機化合物で造られるマトリックス（Ｍ）中に分散され及び／又はマトリックス（Ｍ）によって封入される少なくとも一種の粒状の固体有機ポリマー（Ｐ）
及びマトリックス（Ｍ）／ポリマー（Ｐ）界面における少なくとも一種の界面活性剤（Ｓ）
を含み、
該マトリックス（Ｍ）は、水性媒体又は湿った媒体中に可溶性又は分散可能であり、
該ポリマー（Ｐ）は、該媒体に不溶性でありかつ該媒体にナノ粒子の形態で分散することができる
ことを特徴とする、紡織繊維品を該媒体中で処理するための組成物用の予備配合された添加物からなる。
【発明を実施するための最良の形態】
【０００４】
発明を良好に実施するために、該予備配合された添加物は、乾燥基準で表して、下記：
予備配合された添加物の重量の５〜９０％、好ましくは１０〜６０％のポリマー（Ｐ）、
予備配合された添加物の重量の３〜９０％、好ましくは１０〜８０％、最も特に１５〜７５％のマトリックス（Ｍ）、
重量により０．０１〜２０％、好ましくは０．０２〜５％の界面活性剤（Ｓ）
を含む。
【０００５】
「分散可能」又は「分散する」なる用語は、凝集体が媒体中に形成しないことを意味する。
【０００６】
該ポリマー（Ｐ）は、ガラス転移温度Ｔｇ−４０°〜１５０℃程度、好ましくは−４０°〜１００℃程度、最も特に−４０°〜４０℃程度を有するのが好ましい。
【０００７】
「ポリマー」なる用語は、ホモポリマー及び二種以上のモノマーに由来するコポリマーの両方を意味する。
【０００８】
発明を良好に実施するために、該ポリマー（Ｐ）は、下記を含む：
発明の組成物の作業ｐＨにおいて荷電していない又は非イオン化性の疎水性モノマー単位（Ｎ）、
随意に下記のモノマー単位から選ぶ少なくとも一種の親水性モノマー単位（Ｆ）：
該組成物の作業ｐＨにおいてカチオン性（ｃａｔｉｏｎｉｃ）又はカチオン化性（ｃａｔｉｏｎｉｚａｂｌｅ）の（Ｆ１）、
該組成物の作業ｐＨにおいて両性の（Ｆ２）、
該組成物の作業ｐＨにおいてアニオン性（ａｉｏｎｉｃ）又はアニオン化性（ａｉｏｎｉｚａｂｌｅ）の（Ｆ３）、
該組成物の作業ｐＨにおいて親水性の荷電していない又は非イオン化性（ｎｏｎ−ｉｏｎｉｚａｂｌｅ）の（Ｆ４）、
又はこれらの混合物
及び随意に少なくとも一種の架橋性単位（Ｒ）。
【０００９】
該モノマー単位（Ｎ）及び（Ｆ）は、α−βモノエチレン性不飽和モノマーに由来するのが好ましい。
【００１０】
該モノマー単位（Ｒ）は、ジエチレン性不飽和モノマーに由来するのが好ましい。
【００１１】
該ポリマーの平均モル質量（ゲルパーミエーションクロマトグラフィー（ＧＰＣ）ＴＨＦによって測定しかつポリスチレン当量によって表わす）は、好ましくは少なくとも２００００になり得る。
【００１２】
疎水性単位（Ｎ）が由来するモノマーの例として、下記を挙げることができる：
ビニル芳香族モノマー、例えばスチレン、ビニルトルエン等のようなもの、
α−βモノエチレン性不飽和酸のアルキルエステル、例えばメチル、エチル、ブチル、イソブチル、ヘプチル、ノニル、等のアクリレート及びメタクリレートのような線状もしくは枝分れしたＣ1〜Ｃ10アルキルアクリレート及びメタクリレートのようなもの、
飽和カルボン酸のビニルもしくはアリルエステル、例えばビニルもしくはアリルアセテート、プロピオネート又はバーサテートのようなもの、
α−βモノエチレン性不飽和ニトリル、例えばアクリロニトリル、等のようなもの、
α−オレフィン、例えばエチレン、等のようなもの。
【００１３】
カチオン性又はカチオン化性の親水性単位（Ｆ１）が由来するモノマーの例として、下記を挙げることができる：
α−βモノエチレン性不飽和カルボン酸のＮ，Ｎ−（ジアルキルアミノ−ω−アルキル）アミド、例えばＮ，Ｎ−ジメチルアミノメチルアクリルアミドもしくはメタクリルアミド、Ｎ，Ｎ−ジメチルアミノエチルアクリルアミドもしくはメタクリルアミド、Ｎ，Ｎ−ジメチルアミノ−３−プロピルアクリルアミドもしくはメタクリルアミド及びＮ，Ｎ−ジメチルアミノブチルアクリルアミドもしくはメタクリルアミドのようなもの、
α−βモノエチレン性不飽和アミノエステル、例えばジメチルアミノエチルメタクリレート（ＤＭＡＭ）、ジメチルアミノプロピルメタクリレート、ジ−ｔ−ブチルアミノエチルメタクリレート又はジペンチルアミノエチルメタクリレートのようなもの、
簡単な酸性又は塩基性加水分解によって第一アミン機能を発生するアミン機能の前駆物質であるモノマー、例えばＮ−ビニルホルムアミド、Ｎ−ビニルアセトアミド、等のようなもの。
【００１４】
両性の親水性単位（Ｆ２）が由来するモノマーの例として、下記を挙げることができる：
Ｎ，Ｎ−ジメチル−Ｎ−メタクリロイルオキシエチル−Ｎ−（３−スルホプロピル）アンモニウムスルホベタイン（ＲａｓｃｈｉｇからのＳＰＥ）、Ｎ，Ｎ−ジメチル−Ｎ−（２−メタクリルアミドエチル）−Ｎ−（３−スルホプロピル）アンモニウムベタイン（ＲａｓｃｈｉｇからのＳＰＰ）、１−ビニル−３−（３−スルホプロピル）イミダゾリジウムベタイン又は１−（３−スルホプロピル）−２−ビニルピリジニウムベタイン（ＲａｓｃｈｉｎｇからのＳＰＶ）、
α−βエチレン性不飽和カルボン酸のＮ−（ジアルキルアミノ−ω−アルキル）アミド、例えばＮ，Ｎ−ジメチルアミノメチルアクリルアミドもしくはメタクリルアミド、Ｎ，Ｎ−ジメチルアミノ−３−プロピルアクリルアミドもしくはメタクリルアミドのようなもの、或はエチレン性不飽和アミノエステル、例えばジ−ｔ−ブチルアミノエチルメタクリレート又はジペンチルアミノエチルメタクリレートのようなものの、アルカリ金属（特にナトリウム）又はプロパンスルトンのクロロアセテートによる四級化反応の誘導体。
【００１５】
アニオン性又はアニオン化性の親水性単位（Ｆ３）が由来するモノマーの例として、下記を挙げることができる：
カルボキシリック官能基を少なくとも１つ含有するモノマー、例えばα−βエチレン性不飽和カルボン酸もしくは無水物、アクリル、メタクリル、マレイン、フマル又はイタコン酸もしくは無水物、Ｎ−メタクリロイルアラニン又はＮ−アクリロイルヒドロキシグリシンのようなもの、及びこれらの水溶性塩、
スルフェート又はスルホネート官能基を少なくとも１つ含有するモノマー、例えば２−スルホオキシエチルメタクリレート、ビニルベンゼンスルホン酸、アリルスルホン酸、２−アクリルアミド−２−メチルプロパンスルホン酸、スルホエチルアクリレートもしくはメタクリレート、又はスルホプロピルアクリレートもしくはメタクリレートのようなもの、及びこれらの水溶性塩、
ホスホネート又はホスフェート官能基を少なくとも１つ含有するモノマー、例えばビニルホスホン酸、エチレン性不飽和ホスフェートのエステル、例えばヒドロキシエチルメタクリレートに由来するホスフェート（ＲｈｏｄｉａからのＥｍｐｉｃｒｙｌ  ６８３５）のようなもの及びポリオキシアルキレンメタクリレートに由来するもののようなもの並びにこれらの水溶性塩、
アニオン性官能基の前駆物質であるα−βモノエチレン性不飽和モノマー、例えば加水分解がカルボキシレート官能基を発生するもの（ｔ−ブチルアクリレート、ジメチルアミノエチルアクリレート、無水マレイン酸、等）のようなもの。
【００１６】
荷電していない又は非イオン化性の親水性単位（Ｆ４）が由来するモノマーの例として、下記を挙げることができる：
α−βエチレン性不飽和酸のヒドロキシアルキルエステル、例えばヒドロキシエチル、ヒドロキシプロピル、等のα−βアクリレート及びメタクリレートのようなもの、
α−βエチレン性不飽和酸アミド、例えばアクリルアミド、Ｎ，Ｎ−ジメチルメタクリルアミド、Ｎ−メチロイルアクリルアミド、等のようなもの、
ポリエチレンオキシドタイプの水溶性ポリオキシアルキレン化セグメントを保持するα−βエチレン性不飽和モノマー、例えばポリエチレンオキシドα−βメタクリレート（ＬａｐｏｒｔｅからのＢｉｓｏｍｅｒ  Ｓ２０Ｗ、Ｓ１０Ｗ、等）もしくはα−βジメタクリレート、ＲｈｏｄｉａからのＳｉｐｏｍｅｒ  ＢＥＭ（ポリオキシエチレンω−ベヘニルメタクリレート）、ＲｈｏｄｉａからのＳｉｐｏｍｅｒ  ＳＥＭ−２５（ポリオキシエチレンω−トリスチリルフェニルメタクリレート）、等のようなもの、
一旦重合されて、加水分解されてビニルアルコール単位又はポリビニルアルコールセグメントを発生し得る親水性単位又はセグメントの前駆物質であるα−βエチレン性不飽和モノマー、例えばビニルアセテートのようなもの、
ウレイドタイプのα−βエチレン性不飽和モノマー、特にメタクリルアミドエチル−２−イミダゾリジノン（ＲｈｏｄｉａからのＳｉｐｏｍｅｒ  ＷＡＭ  ＩＩ）。
【００１７】
架橋性単位（Ｒ）が由来するモノマーの例として、下記を挙げることができる：
ジビニルベンゼン
エチレングリコールジメタクリレート
アリルメタクリレート
メチレンビス（アクリルアミド）
グリオキサールビス（アクリルアミド）
ブタジエン。
【００１８】
発明に従えば、ポリマーのナノ粒子なる表現は、直径１０〜５００ｎｍ程度、好ましくは２０〜３００ｎｍ程度、最も特に２０〜１００ｎｍ程度、なお一層特に２０〜５０ｎｍ程度を有する粒子を意味する。
【００１９】
該粒子の直径は、良く知られた方式で光散乱又は透過電子鏡検法によって求めることができる。
【００２０】
該ポリマー（Ｐ）は、良く知られた方式でエチレン性不飽和モノマーを水性媒体中で遊離基重合させることにより、特に水中で遊離基乳化重合させることによって得ることができる。
【００２１】
小さいサイズの粒状ラテックスを得るプロセスは、Ｃｏｌｌｏｉｄ  Ｐｏｌｙｍ．Ｓｃｉ．２６６：４６２−４６９（１９８８）及びＪｏｕｒｎａｌ  ｏｆ  Ｃｏｌｌｏｉｄ  ａｎｄ  Ｉｎｔｅｒｆａｃｅ  Ｓｃｉｅｎｃｅ、８９巻、１号、９月、１９８２年、１８５頁以下に記載されている。平均サイズが１００ｎｍよりも小さい、特に平均サイズが１〜６０ｎｍの範囲、最も特に５〜４０ｎｍの範囲の粒子のラテックスを調製する方法の一つは、ＥＰ−Ａ−６４４  ２０５に記載されている。
【００２２】
ポリマー（Ｐ）の単位（Ｎ）、（Ｆ）及び（Ｒ）が由来するモノマーの選定及び相対的な量は、該ポリマー（Ｐ）が、ガラス転移温度Ｔｇ−４０°〜１５０℃程度、好ましくは−４０°〜１００℃程度、最も特に−４０°〜４０℃程度を有しかつ発明の添加物の作動条件下で不溶性のままになるようにする。
【００２３】
発明に従えば、該ポリマー（Ｐ）は、発明の添加物の水性又は湿性作動媒体中に、すなわち特に該媒体の温度及びｐＨ条件下で可溶性であるものが、それの重量の１５％よりも少ない、好ましくは１０％よりも少ない時に不溶性と考えられる。
【００２４】
マトリックス（Ｍ）を形成することができる化合物の中で、下記の水溶性又は水分散性有機及び無機化合物を挙げることができる：
天然又は合成起源の水溶性又は水分散性ポリペプチド（ＰＰ）、
分子質量が２００００ｇ／モルよりも小さい、好ましくは分子質量が１０００〜５０００ｇ／モルの、弱多酸の系統に属する酸形態の高分子電解質（ＰＥ）、
分子質量が４０００〜１０００００ｇ／モルのポリエチレングリコール（ＰＥＧ）、
分子質量が２００００ｇ／モルよりも小さい、好ましくは分子質量が１０００〜１００００ｇ／モルのポリビニルピロリドン（ＰＶＰ）、
分子質量が１０００００ｇ／モルよりも小さく、好ましくは脱アセチル化値８０〜９９モル％、好ましくは８７〜９５モル％を有するポリビニルアルコール（ＰＶＡ）、
水溶性又は水分散性フィルム形成性両性ポリマー（ＡＰ）、
水溶性又は水分散性単糖類、糖類又は多糖類（Ｏ）、
アミノ酸（ＡＡ）又はアミノ酸の水溶性もしくは水分散性塩
尿素
界面活性剤（ＴＡ）であって、それらの水−界面活性剤二成分状態図が、２５℃において界面活性剤の濃度少なくとも５０重量％までで流動性の等方性相、次いで一層高い濃度で、少なくとも６０℃まで安定な六方タイプ又は立方タイプの硬質な液晶相を含むもの
水溶性又は水分散性のアルカリ金属もしくはアルカリ土類金属シリケート（Ｓｉｌ）及びホスフェート（Ｐｈｏｓ）
或はこれらの混合物。
【００２５】
水溶性又は水分散性の合成ポリペプチド（ＰＰ）の中で、アミノ酸又はアミノ酸プリカーサー（前駆物質）、特にアスパラギン酸及びグルタミン酸又はこれらのプリカーサーの重縮合、及び加水分解から誘導されるホモポリマー又はコポリマーを挙げることができる。これらのポリマーは、アスパラギン酸又はグルタミン酸から誘導されるホモポリマーばかりでなく、またアスパラギン酸及びグルタミン酸のすべての割合から誘導されるコポリマー、或はアスパラギン酸及び／又はグルタミン酸及びその他のアミノ酸から誘導されるコポリマーにもすることができる。挙げることができる共重合性アミノ酸の中に、グリシン、アラニン、ロイシン、イソロイシン、フェニルアラニン、メチオニン、ヒスチジン、プロリン、リシン、セリン、トレオニン、システイン、等がある。
【００２６】
植物起源のポリペプチド（ＰＰ）の中で、植物起源のタンパク質を挙げることができ；これらは、加水分解されるのが好ましく、加水分解度が４０％以下、例えば５〜４０％未満である。
【００２７】
ガイドとして挙げることができる植物起源のタンパク質の中に、下記がある：タンパク質性（ｐｒｏｔｅａｇｉｎｏｕｓ）種子に由来するタンパク質、特にエンドウ、豆、ハウチワマメ、インゲンマメ及びヒラマメのもの；穀類種子に由来するタンパク質、特に小麦、オオムギ、ライ、コーン、米、オート及びキビのもの；油質種子に由来するタンパク質、特に大豆、落花生、ヒマワリ、セイヨウアブラナ及びココナツのもの；葉、特にアルファルファ及びイラクサに由来するタンパク質；並びに植物起源の地下貯蔵に由来するタンパク質、特にジャガイモ及びビートの根のもの。
【００２８】
挙げることができる動物起源のタンパク質の中に、例えば筋タンパク質、特にストロマのタンパク質、及びゼラチン；ミルクに由来するタンパク質、特にカゼイン及びラクトグロブリン；並びに魚タンパク質がある。
【００２９】
タンパク質は、植物起源のものであるのが好ましく、一層特に大豆又は小麦に由来する。
【００３０】
高分子電解質（ＰＥ）は、下記の一般式を有するモノマーの重合に由来するものから選ぶことができる：
（Ｒ1）（Ｒ2）Ｃ＝Ｃ（Ｒ3）ＣＯＯＨ
式中、Ｒ1、Ｒ2及びＲ3は、同じであり又は異なり、下記を表す：
水素原子、
炭素原子１〜４を含有する炭化水素ベースのラジカル、好ましくはメチル、
−ＣＯＯＨ機能、
−Ｒ−ＣＯＯＨラジカル（ここで、Ｒは、炭素原子１〜４を含有する炭化水素ベースの残基、好ましくは炭素原子１又は２を含有するアルキレン残基、最も特にメチレンを表す）。
【００３１】
挙げることができる例は、下記であり、これらに制限しない：アクリル酸、メタクリル酸、マレイン酸、フマル酸、イタコン酸及びクロトン酸。
【００３２】
上記の一般式に相当するモノマーから得られるコポリマー並びにこれらのモノマー及びその他のモノマー、特にビニルアルコールのようなビニル誘導体及びアクリルアミド又はメタクリルアミドのような共重合性アミドを用いて得られるものもまた使用するために適している。また、アルキルビニルエーテル及びマレイン酸から得られるコポリマー並びにビニルスチレン及びマレイン酸から得られるものも挙げることができ、これらは、特にＷｉｌｅｙ  Ｉｎｔｅｒｓｃｉｅｎｃｅ  Ｐｕｂｌｉｃａｔｉｏｎ−１９８２−Ｋｉｒｋ−Ｏｔｈｍｅｒ  ｅｎｃｙｃｌｏｐｅｄｉａ「Ｅｎｃｙｃｌｏｐｅｄｉａ  ｏｆ  Ｃｈｅｍｉｃａｌ  Ｔｅｃｈｎｏｌｏｇｙ」−１８巻−第３版に記載されている。
【００３３】
好適な高分子電解質は、低い重合度を有するものである。高分子電解質の重量平均分子質量は、一層特に２０，０００ｇ／モルよりも小さい。それは、１０００〜５０００ｇ／モルであるのが好ましい。
【００３４】
両性ポリマーは、ｐＨに依存するアニオン性又は潜在的アニオン性電荷及びカチオン性又は潜在的カチオン性電荷を含むポリマーであり、潜在的アニオン性電荷又は潜在的カチオン性電荷は、アニオン性電荷の合計数対カチオン性電荷の合計数の比を計算するために考慮に入れる。
【００３５】
両性のフィルム形成性ポリマー（ＡＰ）は、水性ゲルパーミエーションクロマトグラフィー（ＧＰＣ）によって測定して分子質量が５０００００ｇ／モルよりも小さいのが普通である。
【００３６】
両性のフィルム形成性ポリマー（ＡＰ）は、アニオン性及びカチオン性エチレン性不飽和モノマーから得ることができる。両性のフィルム形成性ポリマー（ＡＰ）は、また、更に中性のモノマーを含有するモノマーの混合物からも得ることができる。アニオン性エチレン性不飽和モノマーは、下記から選ぶことができる：アクリル、メタクリル、マレイン、イタコン、フマル酸又は無水物、Ｎ−メタクロイルアラニン、Ｎ−アクリロイルヒドロキシグリシン、等、又はそれらの水溶性塩；スルホン化又はホスホン化水溶性エチレン性不飽和モノマー、例えばスルホプロピルアクリレート及びそれらの水溶性塩、水溶性スチレンスルホネート、ビニルホスホン酸及びそれらの水溶性塩又はビニルスルホン酸及びそれらの水溶性塩のようなもの。
【００３７】
カチオン性エチレン性不飽和モノマーは、下記から選ぶことができる：
アミノアクリロイル又はアクリロイルオキシモノマー、例えばトリメチルアミノプロピルメタクリレートクロリド、トリメチルアミノエチルアクリルアミドもしくはメタクリルアミドクロリドもしくはブロミド、トリメチルアミノブチルアクリルアミドもしくはメタクリルアミドメチルスルフェート、トリメチルアミノプロピルメタクリルアミドメチルスルフェート（ＭＥＳ）、（３−メタクリルアミドプロピル）トリメチルアンモニウムクロリド（ＭＡＰＴＡＣ）、（３−アクリルアミドプロピル）トリメチルアンモニウムクロリド（ＡＰＴＡＣ）、メタクリロイルオキシエチルトリメチルアンモニウムクロリドもしくはメチルスルフェート、アクリロイルオキシエチルトリメチルアンモニウムクロリドのようなもの；
１−エチル−２−ビニルピリジニウムブロミド、クロリドもしくはメチルスルフェート；
Ｎ，Ｎ−ジアルキルアミンモノマー、例えばＮ，Ｎ−ジメチルジアリルアンモニウムクロリド（ＤＡＤＭＡＣ）のようなもの；
ポリ四級モノマー、例えばジメチルアミノプロピルメタクリルアミドクロリド、Ｎ−（３−クロロ−２−ヒドロキシプロピル）トリメチルアンモニウム（ＤＩＱＵＡＴ）、等のようなもの。
【００３８】
エチレン性不飽和中性モノマーは、下記から選ぶことができる：アクリルアミド、Ｎ−イソプロピルアクリルアミド、Ｎ，Ｎ−ジメチルアクリルアミド、ジメチルアミノエチルメタクリレート（ＤＭＡＥＭＡ）、ジメチルアミノプロピルメタクリルアミド、ビニルアルコール、アルキルもしくはヒドロキシアルキルアクリレートもしくはメタクリレート、ポリオキシアルキレングリコールアクリレートもしくはメタクリレート、等。
【００３９】
また、両性ポリマー（ＡＰ）として、最も特に下記のコポリマー又はターポリマーも挙げることができる：
ＭＡＰＴＡＣ／アクリル酸又はメタクリル酸；ＤＩＱＵＡＴ／アクリル酸又はメタクリル酸；ＤＡＤＭＡＣ／アクリル酸又はメタクリル酸；
ＭＥＳ／アクリル酸又はメタクリル酸／ＤＭＡＥＭＡ；
ＭＡＰＴＡＣ／アクリル酸／アクリルアミド；ＭＡＰＴＡＣ／無水マレイン酸／アクリルアミド；ＭＡＰＴＡＣ／ビニルスルホン酸／アクリルアミド；
ＤＡＤＭＡＣ／アクリル酸／アクリルアミド；ＤＡＤＭＡＣ／無水マレイン酸／アクリルアミド；ＤＡＤＭＡＣ／ビニルスルホン酸／アクリルアミド；
ＤＩＱＵＡＴ／アクリル酸／アクリルアミド；ＤＩＱＵＡＴ／無水マレイン酸／アクリルアミド；ＤＩＱＵＡＴ／ビニルスルホン酸／アクリルアミド；
アニオン性電荷の合計数対カチオン性電荷の合計数の比は、０．１〜１０の範囲にすることができる。
【００４０】
挙げることができる単糖類（Ｏ）の中に、下記がある：グルコース、マンノース、ガラクトース及びリボースのようなアルドース、並びにフルクトースのようなケトース。
【００４１】
糖類は、単糖類分子と互いとが又は単糖類分子と非炭水化物分子とが縮合して水を除くことから生じる化合物である。好適な糖類の中に、下記がある：これらの単位を限られた数だけ、すなわち大概１０以下の数で含む炭水化物単位、一層特にオリゴ糖類をもっぱら組み合わせることによって形成される糖類。挙げることができるオリゴ糖類の例は、スクロース、ラクトース、セロビオース、マルトース及びトレハロースである。
【００４２】
水溶性又は水分散性多糖類は、高度に解重合される；それらは、例えば１９８７年にＧａｕｌｔｉｅｒ−Ｖｉｌｌａｒｓによって編集されたＰ．Ａｒｎａｕｄによる「Ｃｏｕｒｓ  ｄｅ  Ｃｈｉｍｉｅ  Ｏｒｇａｎｉｑｕｅ」なる表題の本に記載されている。これらの多糖類は、一層特に重量平均分子質量が５００，０００ｇ／モルよりも小さい、好ましくは２０，０００ｇ／モルよりも小さい。
【００４３】
挙げることができる多糖類の例は、下記であり、これらに限定しない：セルロース及びセルロース誘導体（カルボキシメチルセルロース）、カラゲナン；高度に解重合された多糖類の中で、デキストラン、デンプン、キサンタンガム及びグア又はイナゴマメのようなガラクトマンナンを挙げることができ、これらの多糖類は、１００℃よりも高い融点及び水への溶解度５ｇ／ｌ〜５００ｇ／ｌを有するのが好ましい。
【００４４】
挙げることができるアミノ酸（ＡＡ）の中に、モノカルボン又はジカルボンモノアミノ酸、モノカルボンジアミノ酸及びこれらの水溶性誘導体がある。
【００４５】
アミノ酸（ＡＡ）は、酸−塩基性を有する側鎖を有するの好ましく；それらは、特にアルギン、リシン、ヒスチジン、アスパラギン酸又はグルタミン酸及びヒドロキシグルタミン酸から選び；それらは、また、誘導体、好ましくは水溶性誘導体の形態にすることもでき；それらは、例えばナトリウム、カリウム又はアンモニウム塩、例えばナトリウムグルタメート、アスパラテート又はヒドロキシグルタメートのようなものにすることができる。
【００４６】
マトリックス（Ｍ）を構成することができる界面活性剤（ＴＡ）に関して、流動性の等方性相及び六方タイプ又は立方タイプの硬質な液晶相の説明は、Ｒ．Ｇ．Ｌａｕｇｈｌｉｎ著の“Ｔｈｅ  Ａｑｕｅｏｕｓ  Ｐｈａｓｅ  Ｂｅｈａｖｉｏｒ  ｏｆ  Ｓｕｒｆａｃｔａｎｔｓ”なる表題の本−Ａｃａｄｅｍｉｃ  Ｐｒｅｓｓ−１９９４に挙げられている。放射線（Ｘ−線及びニュートロン）散乱によるそれらの確認は、Ｌｕｚｚａｔｉ著の“Ｂｉｏｌｏｇｉｃａｌ  Ｍｅｍｂｒａｎｅｓ，Ｐｈｙｓｉｃａｌ  Ｆａｃｔ  ａｎｄ  Ｆｕｎｃｔｉｏｎ”なる表題の本−Ａｃａｄｅｍｉｃ  Ｐｒｅｓｓ−１９６８に記載されている。
【００４７】
硬質な液晶相は、一層特に少なくとも５５℃に等しい温度まで安定である。流動性の等方性相は、硬質な液晶相が存在することができない間、キャストすることができる。
【００４８】
挙げることができる界面活性剤（ＴＡ）の中に、炭素原子６〜２４、好ましくは炭素原子８〜１６を含有する置換された又は未置換の、飽和された又は不飽和の炭化水素ベースの鎖を含有するイオン性糖脂質界面活性剤、特にウロン酸誘導体（ガラクツロン酸、グルクロン酸、Ｄ−マンヌロン酸、Ｌ−イズロン酸、Ｌ−グルロン酸、等）、或はこれらの塩がある。このタイプの生成物は、特に特許出願ＥＰ５３２  ３７０に記載されている。
【００４９】
界面活性剤（ＴＡ）のその他の例は、両性系界面活性剤、例えばＲｈｏｎｅ−Ｐｏｕｌｅｎｃによって販売されるＡｍｐｈｉｏｎｉｃ  ＸＬ（登録商標）及びＭｉｒａｔａｉｎｅ  Ｈ２Ｃ−ＨＡ（登録商標）、Ｂｅｒｏｌ  Ｎｏｂｅｌによって販売されるＡｍｐｈｏｌａｃ  ７Ｔ／Ｘ（登録商標）及びＡｍｐｈｏｌａｃ  ７Ｃ／Ｘ（登録商標）のようなアルキルポリアミンの両性誘導体がある。
【００５０】
アルカリ金属又はアルカリ土類金属シリケート（Ｓｉｌ）の中で、特にＳｉＯ2／Ｍ2Ｏモル比１．６〜３．５を有する（Ｍはナトリウム又はカリウム原子を表わす）ものを挙げることができる。
【００５１】
アルカリ金属又はアルカリ土類金属ホスフェート（Ｐｈｏｓ）の中で、特にナトリウムヘキサメタホスフェートを挙げることができる。
【００５２】
発明に従う予備配合された添加物は、加えて、マトリックス（Ｍ）／ポリマー（Ｐ）界面に、イオン系、アニオン系、カチオン系又は両性系界面活性剤（Ｓ）を含む。
【００５３】
特に挙げることができる非イオン系界面活性剤の中に、下記のようなポリオキシアルキレン化誘導体がある：
エトキシル化又はエトキシ−プロポキシル化脂肪アルコール
エトキシル化又はエトキシ−プロポキシル化トリグリセリド
エトキシル化又はエトキシ−プロポキシル化脂肪酸
エトキシル化又はエトキシ−プロポキシル化ソルビタンエステル
エトキシル化又はエトキシ−プロポキシル化肪酸アミン
エトキシル化又はエトキシ−プロポキシル化ジ（１−フェニルエチル）フェノール
エトキシル化又はエトキシ−プロポキシル化トリ（１−フェニルエチル）フェノール
エトキシル化又はエトキシ−プロポキシル化アルキルフェノール。
【００５４】
これらの非イオン系界面活性剤中のオキシエチレン（ＯＥ）及び／又はオキシプロピレン（ＯＰ）単位の数は、所望するＨＬＢ（親水性／親油性バランス）に応じて２〜１００の範囲になるのが普通である。ＯＥ及び／又はＯＰ単位の数は、一層特に５〜５０である。
【００５５】
エトキシル化又はエトキシ−プロポキシル化脂肪アルコールは、大概炭素原子６〜２２を含み、ＯＥ及びＯＰ単位は、これらの数から除かれる。これらの単位は、エトキシル化単位であるのが好ましい。
【００５６】
エトキシル化又はエトキシ−プロポキシル化トリグリセリドは、植物又は動物起源（ラード、タロウ、落花生、バターオイル、綿実油、亜麻油、オリーブ油、魚油、パーム油、ブドウ種油、大豆油、ひまし油、菜種油、コプラ油又はココナツ油のようなもの）のトリグリセリドにすることができ、エトキシル化するのが好ましい。
【００５７】
エトキシル化又はエトキシ−プロポキシル化脂肪酸は、脂肪酸（例えば、オレイン酸又はステアリン酸のようなもの）のエステルであり、エトキシル化するのが好ましい。
【００５８】
エトキシル化又はエトキシ−プロポキシル化ソルビタンエステルは、ラウリン酸、ステアリン酸又はオレイン酸のような炭素原子１０〜２０を含む脂肪酸の環化ソルビトールエステルであり、エトキシル化するのが好ましい。
【００５９】
本発明において、「エトキシル化トリグリセリド」なる用語は、トリグリセリドをエチレンオキシドでエトキシル化することによって得られる生成物ばかりでなく、またトリグリセリドをポリエチレングリコールでエステル交換することによって得られる生成物も目標とする。
【００６０】
同様に、「エトキシル化脂肪酸」なる用語は、脂肪酸をエチレンオキシドでエトキシル化することによって得られる生成物ばかりでなく、また脂肪酸をポリエチレングリコールでエステル交換することによって得られる生成物も含む。
【００６１】
エトキシル化又はエトキシ−プロポキシル化肪酸アミンは、大概炭素原子１０〜２２を含有し、ＯＥ及びＯＰ単位は、これらの数から除かれ、エトキシル化するのが好ましい。
【００６２】
エトキシル化又はエトキシ−プロポキシル化アルキルフェノールは、大概炭素原子４〜１２を含有する１又は２の線状又は枝分れアルキル基である。特に挙げることができる例は、オクチル、ノニル又はドデシル基である。
【００６３】
挙げることができるアニオン系界面活性剤の中に、下記がある：アルキルスルフェート及びアルキルエーテルスルフェートの水溶性塩、アルキルイセチオネート及びアルキルタウレート又はそれらの塩、アルキルカルボキシレート、アルキルスルホスクシネート又はアルキルスクシナメート、アルキルサルコシネート、タンパク質水解物のアルキル誘導体、アシルアスパルテート、並びにアルキル及び／又はアルキルエーテル及び／又はアルキルアリールエーテルホスフェートエステル。
【００６４】
カチオンは、ナトリウム、カリウム、リチウム又はマグネシウムのようなアルカリ金属又はアルカリ土類金属、或はアンモニウム基ＮＲ4+（Ｒは、同じであっても又は異なってもよく、酸素又は窒素原子で置換される又は置換されないアルキルラジカルを表す）であるのが普通である。
【００６５】
挙げることができる両性系界面活性剤の中に、下記がある：アルキルベタイン、アルキルジメチルベタイン、アルキルアミドプロピルベタイン、アルキルアミドプロピルジメチルベタイン、アルキルトリメチルスルホベタイン、イミダゾリン誘導体、例えばアルキルアンホアセテート、アルキルアンホジアセテート、アルキルアンホプロピオネート、アルキルアンホジプロピオネート、アルキルスルタイン（ｓｕｌｔａｉｎｅ）又はアルキルアミドプロピルヒドロキシスルタインのようなもの、脂肪酸とタンパク質水解物との縮合生成物、アルキルポリアミンの両性誘導体、例えばＲｈｏｎｅ−Ｐｏｕｌｅｎｃによって販売されるＡｍｐｈｉｏｎｉｃ  ＸＬ（登録商標）、Ｂｅｒｏｌ  Ｎｏｂｅｌによって販売されるＡｍｐｈｏｌａｃ  ７Ｔ／Ｘ（登録商標）及びＡｍｐｈｏｌａｃ  ７Ｃ／Ｘ（登録商標）のようなもの、並びにタンパク質又はタンパク質水解物。
【００６６】
カチオン系界面活性剤の中で、特に下記式のアルキルアンモニウム塩を挙げることができる：
Ｒ1’Ｒ2’Ｒ3’Ｒ4’Ｎ+Ｘ-
式中：
Ｒ1’及びＲ2’は、同一であり又は異なり、Ｃ1〜Ｃ20アルキル基、又はアリールもしくはベンジル基を表し、
Ｒ3’及びＲ4’は、同一であり又は異なり、Ｃ1〜Ｃ20アルキル基、アリールもしくはベンジル基又はエチレンオキシド及び／又はプロピレンオキシド縮合物（オキシアルキレン単位を３０まで含有することができる）を表し、並びに
Ｘ-は、可溶化性アニオン、例えばハライド（例えば、クロリド、ブロミド、ヨージド）、スルフェート又はメチルスルフェートのようなものである。
【００６７】
特に、Ｒｈｏｄｉａ社によって販売されるセチルトリメチルアンモニウムブロミドであるＲｈｏｄａｑｕａｔ（登録商標）ＴＦＲを挙げることができる。
【００６８】
該界面活性剤（Ｓ）は、界面活性剤（ＴＡ）と同様にすることができる。
【００６９】
発明に従う予備配合された添加物は、乾燥外観を有する固体形態、例えば乾燥外観を有する粉末又はグラニュールの形態で供するのが好ましい。
【００７０】
該予備配合された添加物は、
マトリックス（Ｍ）を形成することができる水溶性又は水分散性化合物を少なくとも一種の界面活性剤（Ｓ）の存在においてポリマー（Ｐ）のナノラテックスに加え；
次いで水を除き／得られた分散体を乾燥させる
ことによって得ることができる。
【００７１】
ポリマーのナノラテックスなる表現は、平均サイズ１０〜５００ｎｍ程度、好ましくは２０〜３００ｎｍ程度、最も特に１０〜２００ｎｍ程度、なお一層特に２０〜５０ｎｍ程度を有するポリマーの固体粒子の安定な水性分散体を意味する。
【００７２】
そのような分散体は、乾燥抽出物１０〜５０重量％程度、好ましくは２０〜４０ｎｍ重量％程度を有するのが普通である。
【００７３】
ナノラテックスのポリマー（Ｐ）の粒子は、それらの表面に、少なくとも一種の乳化剤（又は界面活性剤（Ｓ））であって、それらの品質がナノラテックス粒子のサイズに依存するものを有する。
【００７４】
該ナノラテックスは、随意に使用する前に希釈してよい。
【００７５】
ポリマー（Ｐ）のナノラテックス、界面活性剤（Ｓ）及びマトリックス（Ｍ）を形成することができる水溶性又は水分散性化合物のそれぞれの量は、得られた分散体が、乾燥基準で表して、下記：
５〜９０重量％、好ましくは１０〜６０重量％のポリマー（Ｐ）、
３〜９０％、好ましくは１０〜８０％、最も特に１５〜７０％のマトリックス（Ｍ）を形成することができる水溶性又は水分散性化合物、
及び０．０１〜２０重量％、好ましくは０．０２〜５重量％の界面活性剤（Ｓ）
を含有するようにする。
【００７６】
得られた分散体の乾燥抽出物は、５〜６０％程度、好ましくは１０〜５０％程度にすることができる。
【００７７】
水を除き／ポリマー（Ｐ）のナノ粒子及びマトリックス（Ｍ）を形成することができる化合物の水性分散体を乾燥させる作業は、当業者に知られている任意の手段に従い、特に凍結乾燥（すなわち、凍結した後に昇華させる）により又は好ましくはスプレー−乾燥によって実施することができる。
【００７８】
スプレー−乾燥は、任意の知られている装置、例えばノズル又はタービンを使用して実施するスプレーイングに熱空気流を組み合わせるスプレー−乾燥タワーのようなもので実施することができる。実施条件は、マトリックス（Ｍ）を形成することができる化合物のタイプ及び使用するスプレー−乾燥機に依存し；これらの条件は、乾燥させる間の生成物の全体の温度が少なくとも３０℃でありかつ１５０℃を越えないようにするのが普通である。
【００７９】
水性媒体中に分散可能な不溶性ポリマーの粉状組成物を調製する方法については、出願人はすでに記載した。
【００８０】
特に下記をを挙げることができる：
ＷＯ９６／１７８９１：非水溶性のポリマーラテックス、多糖（ラクトース）並びにアルキル芳香族イオン性化合物及びポリビニルピロリドンから選ぶ化合物を含む分散体を乾燥させる；
ＷＯ９７／１５６１７：非水溶性のポリマーラテックス、両性（アルキルポリアミンの両性誘導体）又はイオン性（ウロン性）糖脂質系タイプの界面活性剤、及び無機（シリケート、ホスフェート）又は有機（尿素、糖、高分子電解質）水溶性化合物を含む分散体を乾燥させる；
ＷＯ９７／１５６１６：非水溶性のポリマーラテックス、ポリオキシアルキレン化非イオン系界面活性剤及び高分子電解質（弱多酸）を含む分散体を乾燥させる；
ＷＯ９７／２５３７１：非水溶性のポリマーラテックス及びアミノ酸を含む分散体を乾燥させる。
【００８１】
また、出願人が記載した疎水性の活性物質の水分散性グラニュールを固体又は液状形態で調製する技術を用いてもよい。
【００８２】
特に下記を挙げることができる：
ＷＯ９９／３８６１１：疎水性の活性物質、ポリペプチド（大豆タンパク質）及びイオン性又は両性分散剤を含む水分散性グラニュールに関する。
【００８３】
発明の該予備配合された添加物は、随意に、加えてその他の補助剤、例えば凝結防止剤又は充填剤、例えば特にカルシウムカーボネート、ナトリウムスルフェートのようなもの、クレー、例えばベントナイト又はlaponite、カオリン、シリカのようなもの、等を含有することができ、これらは、水を除く前の水性分散体にか、又はスプレー−乾燥工程の間か、又は代わりに乾燥させた後のいずれかに完全に又は一部加えることができる。
【００８４】
発明の変法の実施態様に従えば、該予備配合された添加物は、加えて、少なくとも一種の疎水性の活性物質（ＡＭ）を、ポリマー（Ｐ）のナノ粒子中に封入された状態で含むことができる。
【００８５】
これらの疎水性の活性物質の中で、紡織繊維品を処理するための組成物中に存在するもの、特に疎水性の清浄性活性物質を挙げることができる。
【００８６】
活性物質は、すべて、水と混和しない又は水と極めてわずかにだけ混和し得るので、固体であろうと又は液体であろうと（そのままで又は溶媒中の溶液で）、適している。
【００８７】
わずかに混和し得るなる表現は、ｐＨ７の水への溶解度が２０重量％、好ましくは１０重量％を超えない活性物質を意味する。
【００８８】
活性物質（ＡＭ）の例として、疎水性の清浄性活性物質、例えば香料、漂白用触媒、殺生剤、漂白用活性剤、紫外線防止剤、蛍光増白剤、酸化防止剤、シリコーンのようなものを挙げることができる。
【００８９】
存在することができる活性物質（ＡＭ）の量は、ポリマー（Ｐ）１００重量部当たり活性物質（ＡＭ）２０〜７０重量部、好ましくは４０〜６０重量部の範囲にすることができる。
【００９０】
ポリマー（Ｐ）のナノ粒子による疎水性の活性物質（ＡＭ）の封入は、該活性物質（ＡＭ）をナノラテックスの形態で存するポリマー（Ｐ）の該粒子中に導入することによって実施することができ、活性物質（ＡＭ）を、水性エマルション中で重合することによって該ポリマーを実合成する間か又は水性エマルション中で重合することによって該ポリマーを合成した後のいずれかで導入することが可能である。
【００９１】
ポリマー（Ｐ）のナノ粒子中への活性物質（ＡＭ）の導入は、モノマー組成物を水性エマルション中で重合させる工程の後に実施するのが好ましい。
【００９２】
液体状態で存在する活性物質（ＡＭ）は、それがポリマーを十分に膨潤させるならば、直接ポリマー（Ｐ）のナノ粒子中に導入し、又は必要ならば、ポリマー用膨潤性「トランスファー」溶媒によって助成することができる。
【００９３】
挙げることができるトランスファー溶媒の中に、下記がある：
エステル、例えばエチルアセテート、メチルプロピオネート、メチルグルタレート／アジペート／スクシネートの混合物（“ＲＰＤＥ” 溶媒）、等のようなもの、
ケトン、例えばメチルエチルケトン、シクロヘキサノン、等のようなもの、
アルコール、例えばプロパノール、ペンタノール、シクロヘキサノール、等のようなもの、
脂肪族及び環状炭化水素、例えばヘプタン、デカン、シクロヘキサノン、デカリン、等のようなもの、
塩素化脂肪族誘導体、例えばジクロロメタン、等のようなもの、
芳香族誘導体、例えばトルエン、エチルベンゼン、等のようなもの、
塩素化芳香族誘導体、例えばトリクロロベンゼン、等のようなもの、
ジアルキルエーテル。
【００９４】
導入する活性物質（ＡＭ）をナノラテックスと攪拌しながら温度２０〜５０℃で１〜２４時間の間接触状態に置く。
【００９５】
活性物質（ＡＭ）が固体であるならば、該「トランスファー」溶媒を、随意に真空下で蒸発させることによって除くことができる。
【００９６】
次いで、マトリックス（Ｍ）を形成することができる化合物を、活性物質を封入するポリマーのナノラテックスに加える。
【００９７】
次いで、得られた分散体を上記の通りにして乾燥又はゲル化させる。
【００９８】
発明の主題である該予備配合された添加物は、水性媒体又は湿った媒体中で紡織繊維品をケアするための処理組成物を調製するために使用することができる。該添加物は、該組成物中で、繊維を物理的又は化学的劣化の現象から保護し及び／又はそれらに軟化性及び／又は防しわ性のような利点を与えるケア剤としてすることができ；該添加物は、防しわ剤とし最も特に効率的である。
【００９９】
従って、発明の第二の主題は、予備配合された添加物の、水性又は湿式媒体中で紡織繊維品を処理するための組成物における該品用ケア剤として、特に防しわ剤としての使用に在る。
【０１００】
発明の第三の主題は、予備配合された添加物を含む紡織繊維品をケアするための組成物からなる。
【０１０１】
組成物の形態及び使用するため（又は処理するため）の条件は、多数になり得る。
【０１０２】
該組成物は、
水に希釈した後に、処理すべき品と接触状態に置く、固体（粉末、グラニュール、タブレット、等）又は濃厚な非水性分散体の形態；
乾燥又は湿潤状態で処理すべき品と直接接触状態に置く、前記添加物を含む固体支持体（繊維支持体又は棒）の形態で供することができる。
【０１０３】
これより、発明の組成物は、下記にすることができる：
希釈する際に洗浄浴を直接形成することができる固体の清浄性配合物；
希釈する際に洗浄浴を直接形成することができる非水性液体清浄性配合物；
希釈する際にすすぎ及び／又は軟化用浴を直接形成することができるすすぎ及び／又は軟化用配合物；
タンブル乾燥機中で湿った布と接触状態に置くことを意図する、発明の添加物を含む固体、特に繊維材料（該固体材料を本明細書中以降で「乾燥添加物」と呼ぶ）；
発明に従う予備配合された添加物を含有する又は含有しない清浄性配合物を使用する洗浄作業の前に乾燥布上に付着させることを意図する「洗浄用添加物」（「事前しみ抜き剤（ｐｒｅｓｐｏｔｔｅｒ）」）。
【０１０４】
本発明の組成物は、テキスタイル繊維物品、特に綿をベースとする繊維物品、特に綿を少なくとも３５％含有する繊維物品の手入れ（care）に特によく適している。
【０１０５】
本発明に従う組成物の作業ｐＨは、望まれる用途に応じて約２〜約１２の範囲であることができる。
【０１０６】
その用途が
・洗剤配合物である場合、洗浄浴のｐＨは約７〜１１の範囲であるのが一般的であり、８〜１０．５の範囲であるのが好ましい；
・濯ぎ及び／又は柔軟仕上げ用配合物である場合、濯ぎ及び／又は柔軟仕上げ浴のｐＨは約２〜８であるのが一般的である；
・ドラム式乾燥機添加剤である場合、考慮すべきｐＨは残留水のｐＨであり、これは約２〜９であることができる；
・事前しみ抜き剤である場合、考慮すべきｐＨは続いての洗浄操作のための洗浄浴のｐＨであり、即ち約７〜１１、好ましくは８〜１０．５である。
【０１０７】
本発明の良好な実施のためには、予備配合された添加剤（以下、単に予備配合添加剤と言う）のポリマー（Ｐ）の総質量の少なくとも７０％が疎水性単位（Ｎ）から成る。
【０１０８】
親水性単位（Ｆ）が存在する場合、それらはポリマー（Ｐ）の総質量の３０％を超えないのが好ましい。
【０１０９】
架橋用単位（Ｒ）が存在する場合、それらはポリマー（Ｐ）の総質量の２０％を超えないのが一般的であり、１０％を超えないのが好ましく、５％を超えないのが特に好ましい。
【０１１０】
本発明の第１のタイプの組成物は、それが含む予備配合添加剤中のポリマー（Ｐ）が
・疎水性モノマー単位（Ｎ）少なくとも７０重量％；
・随意としての非荷電の又はイオン化不能な親水性モノマー単位（Ｆ４）少なくとも１重量％；
・随意としての非荷電の又はイオン化不能な架橋用単位（Ｒ）２０重量％以下：
を含む非荷電の又はイオン化不能なポリマー（Ｐ１）である組成物（Ｃ１）から成る。
【０１１１】
前記の非荷電の又はイオン化不能なポリマー（Ｐ１）は、
・疎水性モノマー単位（Ｎ）少なくとも７０重量％；
・非荷電の又はイオン化不能な親水性モノマー単位（Ｆ４）３〜３０重量％；
・随意としての非荷電の又はイオン化不能な架橋用単位（Ｒ）２０重量％以下、好ましくは１０重量％以下：
を含むのが好ましい。
【０１１２】
前記の非荷電の又はイオン化不能なポリマー（Ｐ１）を含む予備配合添加剤は、作業ｐＨが２〜１２の範囲であることができる上に挙げた任意のタイプのテキスタイル繊維物品手入れ用組成物、即ち洗剤配合物、濯ぎ及び／若しくは柔軟仕上げ用配合物、ドラム式乾燥機添加剤又は事前しみ抜き剤中に用いることができる。
【０１１３】
本発明の第２のタイプの組成物は、それが含む予備配合添加剤中のポリマー（Ｐ）が
・疎水性モノマー単位（Ｎ）少なくとも７０重量％；
・アニオン性又はアニオン化可能な親水性モノマー単位（Ｆ３）少なくとも１重量％、好ましくは３〜３０重量％、特に好ましくは１〜２０重量％；
・随意としての非荷電の又はイオン化不能な親水性モノマー単位（Ｆ４）２９重量％以下：
を含む、アニオン性又はアニオン化可能な単位を含有ししかしカチオン性又はカチオン化可能な単位を含有しないポリマー（Ｐ２）である組成物（Ｃ２）から成る。
【０１１４】
前記のポリマー（Ｐ２）を含む予備配合添加剤は、非カチオン性状のテキスタイル繊維物品手入れ用組成物、即ち洗剤配合物、ドラム式乾燥機添加剤又は事前しみ抜き剤中に用いることができる。
【０１１５】
本発明の第３のタイプの組成物は、それが含む予備配合添加剤中のポリマー（Ｐ）が
・疎水性モノマー単位（Ｎ）少なくとも７０重量％；
・両性親水性モノマー単位（Ｆ２）少なくとも０．１重量％であって好ましくは２０重量％以下、特に好ましくは１０重量％以下；
・随意としての非荷電の又はイオン化不能な親水性モノマー単位（Ｆ４）；
・随意としてのカチオン性又はカチオン化可能な親水性モノマー単位（Ｆ１）：
を含む両性単位含有ポリマー（Ｐ３）である組成物（Ｃ３）から成り、これらの親水性モノマー単位（Ｆ）群は組合せとしてポリマー（Ｐ３）の少なくとも１重量％を占めるのが好ましく、カチオン電荷対アニオン電荷のモル比は組成物（Ｃ３）の所望の用途に応じて１／９９〜８０／２０の範囲であることができる。
【０１１６】
カチオン電荷対アニオン電荷のモル比が１／９９〜８０／２０の範囲であるポリマー（Ｐ３）を含む予備配合添加剤は、ドラム式乾燥機添加剤中に用いることができる。
【０１１７】
また、カチオン電荷対アニオン電荷のモル比が１／９９〜６０／４０の範囲、好ましくは５／９５〜５０／５０の範囲であるポリマー（Ｐ３）を含む予備配合添加剤は、洗剤配合物及び事前しみ抜き剤中に用いることもできる。
【０１１８】
本発明の第４のタイプの組成物は、それが含む予備配合添加剤中のポリマー（Ｐ）が
・疎水性モノマー単位（Ｎ）少なくとも７０重量％；
・カチオン性又はカチオン化可能な親水性モノマー単位（Ｆ１）；
・アニオン性又はアニオン化可能な親水性モノマー単位（Ｆ３）；
・随意としての両性親水性モノマー単位（Ｆ２）；
・随意としての非荷電の又はイオン化不能な親水性モノマー単位（Ｆ４）：
を含む、カチオン性又はカチオン化可能な単位及びアニオン性又はアニオン化可能な単位の両方を含有するポリマー（Ｐ４）である組成物（Ｃ４）から成り、これらの親水性モノマー単位（Ｆ）群は組合せとしてポリマー（Ｐ４）の少なくとも１重量％を占めるのが好ましく、カチオン電荷対アニオン電荷のモル比は組成物（Ｃ４）の所望の用途に応じて１／９９〜８０／２０の範囲であることができる。
【０１１９】
カチオン電荷対アニオン電荷のモル比が１／９９〜８０／２０の範囲であるポリマー（Ｐ４）を含む添加剤は、ドラム式乾燥機添加剤中に用いることができる。
【０１２０】
また、カチオン電荷対アニオン電荷のモル比が１／９９〜６０／４０の範囲、好ましくは５／９５〜５０／５０の範囲であるポリマー（Ｐ４）を含む添加剤は、洗剤配合物及び事前しみ抜き剤中に用いることもできる。
【０１２１】
本発明の第５のタイプの組成物は、それが含む予備配合添加剤中のポリマー（Ｐ）が
・疎水性モノマー単位（Ｎ）少なくとも７０重量％；
・カチオン性又はカチオン化可能な親水性モノマー単位（Ｆ１）少なくとも１重量％、好ましくは３〜３０重量％、特に好ましくは１〜１０重量％；
・随意としての非荷電の又はイオン化不能な親水性モノマー単位（Ｆ４）２０重量％以下：
を含む、カチオン性又はカチオン化可能な単位を含有ししかしアニオン性又はアニオン化可能な単位を含有しないポリマー（Ｐ５）である組成物（Ｃ５）から成る。
【０１２２】
ポリマー（Ｐ５）を含む予備配合添加剤は、作業ｐＨが２〜１２の範囲であることができる上に挙げた任意のタイプのテキスタイル繊維物品手入れ用組成物、即ち洗剤配合物、濯ぎ及び／若しくは柔軟仕上げ用配合物、ドラム式乾燥機添加剤又は事前しみ抜き剤中に用いることができる。
【０１２３】
特に好ましい態様において、組成物（Ｃ５）は洗剤組成物であり、前記モノマー単位（Ｆ１）はｐＫａが１１未満、好ましくは１０．５未満である少なくとも１種のカチオン化可能なモノマーから誘導されるカチオン化可能な単位である。
【０１２４】
ポリマー（Ｐ）の例としては、特に次のものから誘導される単位を含有するコポリマーを挙げることができる：
・メタクリル酸メチル／アクリル酸ブチル／メタクリル酸ヒドロキシエチル／メタクリル酸
（そのガラス転移温度Ｔｇは、そのポリマーの組成に応じて１０℃〜８０℃の範囲であることができる）；
・メタクリル酸メチル／エチレングリコールジメタクリレート／メタクリル酸
（そのガラス転移温度Ｔｇは、そのポリマーの組成に応じて１０℃〜８０℃の範囲であることができる）；
・スチレン／ジビニルベンゼン／メタクリル酸
（そのガラス転移温度Ｔｇは、そのポリマーの組成に応じて１００℃〜１４０℃の範囲であることができる）；
・スチレン／アクリル酸ブチル／メタクリル酸ヒドロキシエチル／メタクリル酸
（そのガラス転移温度Ｔｇは、そのポリマーの組成に応じて１０℃〜８０℃の範囲であることができる）；
・Veova 10（ビニルＣ10ベルサテート）／メタクリル酸メチル／アクリル酸ブチル／メタクリル酸
（そのガラス転移温度Ｔｇは、そのポリマーの組成に応じて１０℃〜８０℃の範囲であることができる）；
・メタクリル酸メチル／アクリル酸ブチル／メタクリル酸ヒドロキシエチル／メタクリル酸／Ｎ，Ｎ−ジメチル−Ｎ−メタクリロイルオキシエチル−Ｎ−（３−スルホプロピル）アンモニウムスルホベタイン（RaschigからのSPE）
（そのガラス転移温度Ｔｇは、そのポリマーの組成に応じて１０℃〜８０℃の範囲であることができる）；
・メタクリル酸メチル／アクリル酸ブチル／メタクリル酸ヒドロキシエチル／メタクリル酸／ビニルホスホン酸
（そのガラス転移温度Ｔｇは、そのポリマーの組成に応じて１０℃〜８０℃の範囲であることができる）；
・メタクリル酸メチル／アクリル酸ブチル／メタクリル酸ヒドロキシエチル／メタクリル酸／RhodiaからのEmpicryl 6835
（そのガラス転移温度Ｔｇは、そのポリマーの組成に応じて１０℃〜８０℃の範囲であることができる）；
・スチレン／ブタジエン／アクリル酸
（そのガラス転移温度Ｔｇは−４０℃〜１０℃の範囲であることができる）；
・アクリル酸ブチル／メタクリル酸
（そのガラス転移温度Ｔｇは−４０℃〜１０℃の範囲であることができる）。
【０１２５】
本発明に従う手入れ用組成物中に存在させる予備配合添加剤のポリマー（Ｐ）の乾燥重量として表わした量は、組成物の乾燥重量に対する乾燥重量として、所望の用途に応じて０．０５％〜１０％の範囲であることができる。
【０１２６】
かくして、予備配合添加剤は、次のように用いることができる。
【０１２７】
【表１】
2005501183.tif 000002
【０１２８】
本発明に従う手入れ用組成物中には、予備配合添加剤と共に、他の成分を存在させることもできる。これらの成分の性状は、その組成物に望まれる用途に依存する。
【０１２９】
かくして、テキスタイル繊維物品、特に布類を洗浄するための洗剤配合物の場合には、
・少なくとも１種の天然及び／又は合成界面活性剤、
・少なくとも１種の洗浄補助剤（「ビルダー」）、
・随意としての酸化剤又は系、並びに
・一連の特定の添加剤
を含ませるのが一般的である。
【０１３０】
洗剤配合物には、洗剤配合物に対して約３重量％〜４０重量％に相当する量で界面活性剤を含ませることができ、これらの界面活性剤は、以下のようなものである。
【０１３１】
アニオン性界面活性剤
・式Ｒ−ＣＨ(ＳＯ3Ｍ)−ＣＯＯＲ’のアルキルエステルスルホネート
｛ここで、ＲはＣ8〜Ｃ20、好ましくはＣ10〜Ｃ16アルキル基を表わし、
Ｒ’はＣ1〜Ｃ6、好ましくはＣ1〜Ｃ3アルキル基を表わし、
Ｍはアルカリ金属（特にナトリウム、カリウム若しくはリチウム）カチオン、置換若しくは非置換アンモニウム（メチルアンモニウム、ジメチルアンモニウム、トリメチルアンモニウム、テトラメチルアンモニウム、ジメチルピペリジニウム等）又はアルカノールアミン（モノエタノールアミン、ジエタノールアミン、トリエタノールアミン等）の誘導体を表わす｝
（特に基ＲがＣ14〜Ｃ16であるメチルエステルスルホネートを挙げることができる）；
・式ＲＯＳＯ3Ｍのアルキルサルフェート
（ここで、ＲはＣ5〜Ｃ24、好ましくはＣ10〜Ｃ18アルキル又はヒドロキシアルキル基を表わし、
Ｍは水素原子又は上と同じ定義のカチオンを表わす）
並びにそれらのエトキシレン化（ＥＯ）及び／又はプロポキシレン化（ＰＯ）誘導体（平均して０．５〜３０個、好ましくは０．５〜１０個のＥＯ及び／又はＰＯ単位を有するもの）；
・式ＲＣＯＮＨＲ’ＯＳＯ3Ｍのアルキルアミドサルフェート
（ここで、ＲはＣ2〜Ｃ22、好ましくはＣ6〜Ｃ20アルキル基を表わし、
Ｒ’はＣ2〜Ｃ3アルキル基を表わし、
Ｍは水素原子又は上と同じ定義のカチオンを表わす）
並びにそれらのエトキシレン化（ＥＯ）及び／又はプロポキシレン化（ＰＯ）誘導体（平均して０．５〜６０個のＥＯ及び／又はＰＯ単位を有するもの）；
・Ｃ8〜Ｃ24、好ましくはＣ14〜Ｃ20飽和若しくは不飽和脂肪酸の塩、Ｃ9〜Ｃ20アルキルベンゼンスルホネート、Ｃ8〜Ｃ22第１若しくは第２アルキルスルホネート、アルキルグリセリルスルホネート、スルホン化ポリカルボン酸（英国特許第１０８２１７９号明細書に記載されたもの）、パラフィンスルホネート、Ｎ−アシル−Ｎ−アルキルタウレート、アルキルホスフェート、イセチオネート、アルキルスクシナメート、アルキルスルホスクシネート、スルホスクシネートモノエスエル若しくはジエステル、Ｎ−アシルサルコシネート、アルキルグリコシドサルフェート、ポリエトキシカルボキシレート｛そのカチオンはアルカリ金属（特にナトリウム、カリウム若しくはリチウム）、置換若しくは非置換アンモニウム（メチルアンモニウム、ジメチルアンモニウム、トリメチルアンモニウム、テトラメチルアンモニウム、ジメチルピペリジニウム等）残基又はアルカノールアミン（モノエタノールアミン、ジエタノールアミン、トリエタノールアミン等）の誘導体である｝。
【０１３２】
ノニオン性界面活性剤
・５〜２５個のオキシアルキレン単位を含有するポリオキシアルキレン化（特にポリオキシエチレン化、ポリオキシプロピレン化又はポリオキシブチレン化）アルキルフェノール（そのアルキル置換基はＣ6〜Ｃ12である）（その例としては、Rohm & Haas Co.より販売されているTriton X-45、X-114、X-100及びX-102を挙げることができる）；
・グルコサミド、グルカミド又はグリセロールアミド；
・１〜２５個のオキシアルキレン（特にオキシエチレン又はオキシプロピレン）単位を含有するポリオキシアルキレン化Ｃ8〜Ｃ22脂肪族アルコール（その例としては、Union Carbide Corp.から販売されているTergitol 15-S-9及びTergitol 24-L-6 NMW、Shell Chemical Co.から販売されているNeodol 45-9、Neodol 23-65、Neodol 45-7及びNeodol 45-4、並びにThe Procter and Gamble Co.から販売されているKyro EOBを挙げることができる）；
・プロピレンオキシドとプロピレングリコールとの縮合から得られた化合物又はエチレンオキシドの縮合から得られた生成物、例えばBASFから販売されている「Pluronic」製品群；
・プロピレンオキシドとエチレンジアミンとの縮合から得られた化合物又はエチレンオキシドの縮合から得られた生成物、例えばBASFから販売されている「Tetronic」製品群；
・アミンオキシド、例えば（Ｃ10〜Ｃ18アルキル）ジメチルアミンオキシド及び（Ｃ8〜Ｃ22アルコキシ）エチルジヒドロキシエチルアミンオキシド；
・米国特許第４５６５６４７号明細書に記載されたアルキルポリグリコシド；
・Ｃ8〜Ｃ20脂肪酸アミド；
・エトキシル化脂肪酸；
・エトキシル化脂肪酸アミド；
・エトキシル化アミン。
【０１３３】
両性及びツビッター性界面活性剤
・アルキルジメチルベタイン、アルキルアミドプロピルジメチルベタイン、アルキルトリメチルスルホベタイン及び脂肪酸と蛋白質加水分解生成物との縮合生成物；
・アルキルアンホアセテート又はアルキルアンホジアセテート（ここで、アルキル基は６〜２０個の炭素原子を有する）。
【０１３４】
界面活性剤の特性を改善する洗浄補助剤（「ビルダー」）を、液状洗剤配合物については約５〜５０重量％、好ましくは約５〜３０重量％、粉末状洗剤配合物については約１０〜８０重量％、好ましくは１５〜５０重量％の量で用いることができる。これらの洗浄補助剤は、以下のようなものである。
【０１３５】
無機洗浄補助剤
・ポリリン酸（トリポリリン酸、ピロリン酸、オルトリン酸又はヘキサメタリン酸）アルカリ金属、アンモニウム又はアルカノールアミン塩；
・四ホウ酸塩又はホウ酸塩前駆体；
・ケイ酸塩、特にＳｉＯ2／Ｎａ2Ｏ比約１．６／１〜３．２／１を有するもの及び米国特許第４６６４８３９号明細書に記載された層状ケイ酸塩；
・アルカリ金属又はアルカリ土類金属炭酸塩（重炭酸塩、セスキ炭酸塩）；
・ヨーロッパ特許公開第４８８８６８号公報に記載されたＱ２又はＱ３形態のケイ素原子に富んだ水和アルカリ金属ケイ酸塩とアルカリ金属（ナトリウム又はカリウム）炭酸塩との共粒質物；
・ゼオライトＡ、Ｐ、Ｘ等のような、結晶質又は非晶質アルミノケイ酸アルカリ金属（ナトリウム若しくはカリウム）又はアンモニウム塩（約０．１〜１０μｍの粒子寸法のゼオライトＡが好ましい）；
【０１３６】
有機洗浄補助剤
・水溶性ポリホスホネート（エタン１−ヒドロキシ−１，１−ジホスホネート、メチレンジホスホネート塩等）；
・カルボン酸ポリマー若しくはコポリマー又はそれらの水溶性塩、例えば
・・ポリカルボキシレートエーテル（オキシ二コハク酸及びその塩、モノコハク酸タルタレート及びその塩、二コハク酸タルタレート及びその塩）；
・・ヒドロキシポリカルボキシレートエーテル；
・・クエン酸及びその塩、メリット酸、コハク酸及びそれらの塩；
・・ポリ酢酸の塩（エチレンジアミン四酢酸塩、ニトリロ三酢酸塩、Ｎ−（２−ヒドロキシエチル）ニトリロ二酢酸塩）；
・・Ｃ5〜Ｃ20アルキルコハク酸及びそれらの塩（２−ドデセニルコハク酸塩、ラウリルコハク酸塩）；
・・カルボン酸ポリアセタールエステル；
・・ポリアスパラギン酸、ポリグルタミン酸及びそれらの塩；
・・アスパラギン酸及び／又はグルタミン酸の重縮合から誘導されるポリイミド；
・・グルタミン酸又はその他のアミノ酸のポリカルボキシメチル誘導体。
【０１３７】
洗剤配合物にはまた、過酸化合物、好ましくは過酸塩を含む少なくとも１種の酸素放出性漂白剤を含ませることもできる。
【０１３８】
前記漂白剤は、洗剤配合物に対して約１重量％〜３０重量％、好ましくは４重量％〜２０重量％に相当する量で存在させることができる。
【０１３９】
漂白剤として用いることができる過酸化合物の例としては、特に過ホウ酸ナトリウム一水和物又は四水和物のような過ホウ酸塩；炭酸ナトリウムペルオキシハイドレート、ピロリン酸塩ペルオキシハイドレート、尿素ペルオキシハイドレート、過酸化ナトリウム及び過硫酸ナトリウムのような過酸素化化合物を挙げることができる。
【０１４０】
好ましい漂白剤は、過ホウ酸ナトリウム一水和物若しくは四水和物及び／又は炭酸ナトリウムペルオキシハイドレートである。
【０１４１】
前記の剤は、洗浄媒体中でその場で洗剤配合物に対して約０．１重量％〜１２重量％、好ましくは０．５重量％〜８重量％に相当する量のペルオキシカルボン酸を生成する漂白活性化剤と組み合わせて用いられるのが一般的である。これらの活性化剤の中では、テトラアセチルエチレンジアミン、テトラアセチルメチレンジアミン、テトラアセチルグリコールウリル、ｐ−アセトキシベンゼンスルホン酸ナトリウム、ペンタアセチルグルコース及びオクタアセチルラクトースを挙げることができる。
【０１４２】
また、酸素の存在下で光活性化によって作用する非酸素化漂白剤を挙げることもでき、これらはスルホン化アルミニウム及び／又は亜鉛フタロシアニンのような物質である。
【０１４３】
洗剤配合物にはまた、汚れ放出剤、再付着防止剤、キレート化剤、分散剤、蛍光剤、抑泡剤、柔軟仕上げ剤、酵素及び他の様々な添加剤を含ませることもできる。
【０１４４】
汚れ放出剤
これらは約０．０１〜１０重量％の量で用いることができ、約０．１〜５重量％の量で用いるのが好ましく、約０．２〜３重量％の量で用いるのがより一層好ましい。
【０１４５】
より特定的には、次のようなものを挙げることができる：
・セルロース誘導体、例えばセルロースヒドロキシエーテル、メチルセルロース、エチルセルロース、ヒドロキシプロピルメチルセルロース、ヒドロキシブチルメチルセルロース；
・ポリアルキレン主鎖上にグラフトさせたポリビニルエーテル、例えばポリオキシエチレン主鎖上にグラフトさせたポリ酢酸ビニル（ヨーロッパ特許公開第２１９０４８号公報）；
・ポリビニルアルコール；
・エチレンテレフタレート及び／又はプロピレンテレフタレート単位並びにポリオキシエチレンテレフタレート単位をベースとし、｛エチレンテレフタレート及び／又はプロピレンテレフタレート（単位数）｝／｛ポリオキシエチレンテレフタレート（単位数）｝のモル比約１／１０〜１０／１、好ましくは約１／１〜９／１のポリエステルコポリマー（このポリオキシエチレンテレフタレートは、分子量約３００〜５０００、好ましくは約６００〜５０００を有するポリオキシエチレン単位を含有する）（米国特許第３９５９２３０号、同第３８９３９２９号、同第４１１６８９６号、同第４７０２８５７号及び同第４７７０６６６号の各明細書）；
・エトキシル化アリルアルコール、テレフタル酸ジメチル及び１，２−プロピレンジオールから誘導されるオリゴマーのスルホン化によって得られる、１〜４個のスルホン化基を有するスルホン化ポリエステルオリゴマー（米国特許第４９６８４５１号明細書）；
・プロピレンテレフタレート及びポリオキシエチレンテレフタレート単位をベースとし、エチル若しくはメチル単位を末端基とするポリエステルコポリマー（米国特許第４７１１７３０号明細書）、又はアルキルポリエトキシ基（米国特許第４７０２８５７号明細書）若しくはスルホポリエトキシ（米国特許第４７２１５８０号明細書）若しくはスルホアロイル（米国特許第４８７７８９６号明細書）アニオン性基を末端基とするポリエステルオリゴマー；
・テレフタル酸、イソフタル酸及び／若しくはスルホイソフタル酸又はそれらの酸無水物若しくはジエステルとジオールとから誘導されるスルホン化ポリエステルコポリマー（フランス国特許第２７２０３９９号明細書）。
【０１４６】
再付着防止剤
これらは一般的に、粉末状洗剤配合物については約０．０１〜１０重量％、液状洗剤配合物については約０．０１〜５重量％の量で用いることができる。
【０１４７】
特に次のようなものを挙げることができる：
・エトキシル化モノアミン又はポリアミン、及びエトキシル化アミンポリマー（米国特許第４５９７８９８号明細書及びヨーロッパ特許公開第１１９８４号公報）；
・カルボキシメチルセルロース；
・イソフタル酸とスルホコハク酸ジメチルとジエチレングリコールとの縮合によって得られるスルホン化ポリエステルオリゴマー（フランス国特許第２２３６９２６号明細書）。
・ポリビニルピロリドン類。
【０１４８】
キレート化剤
鉄及びマンガンをキレート化するための添加剤を、約０．１〜１０重量％、好ましくは約０．１〜３重量％の量で存在させることができる。
【０１４９】
特に次のものを挙げることができる：
・アミノカルボキシレート、例えばエチレンジアミン四酢酸塩、ヒドロキシエチルエチレンジアミン三酢酸塩及びニトリロ三酢酸塩；
・アミノホスホネート、例えばニトリロトリス（メチレンホスホネート）；
・多官能性芳香族化合物、例えばジヒドロキシジスルホベンゼン。
【０１５０】
ポリマー系分散剤
これらは、カルシウム及びマグネシウム硬度を調節するために、約０．１〜７重量％の量で存在させることができる。これらは例えば次のようなものである：
・アクリル酸、マレイン酸若しくは酸無水物、フマル酸、イタコン酸、アコニット酸、メサコン酸、シトラコン酸又はメチレンマロン酸のようなエチレン性不飽和カルボン酸の重合又は共重合によって得られる分子量約２０００〜１０００００の水溶性ポリカルボン酸塩、特に分子量約２０００〜１００００のポリアクリレート（米国特許第３３０８０６７号明細書）及びアクリル酸と無水マレイン酸との分子量約５０００〜７５０００のコポリマー（ヨーロッパ特許公開第６６９１５号公報）；
・分子量約１０００〜５００００のポリエチレングリコール。
【０１５１】
蛍光剤（増白剤）
これらは、約０．０５〜１．２重量％の量で存在させることができ、例えば次のようなものである：
・スチルベン、ピラゾリン、クマリン、フマル酸、桂皮酸、アゾール、メチンシアニン、チオフェン等の誘導体｛M. Zahradnik著の「蛍光増白剤の製造及び用途（The Production and Application of Fluorescent Brightening Agents）」、米国ニューヨーク州所在のジョン・ウィリー・アンド・サンズ（John Wiley and Sons）発行、１９８２年｝。
【０１５２】
抑泡剤
これらは５重量％までの範囲であってよい量で存在させることができ、次のようなものである：
・Ｃ10〜Ｃ24脂肪族モノカルボン酸又はそれらのアルカリ金属、アンモニウム若しくはアルカノールアミン塩、及び脂肪酸トリグリセリド；
・飽和又は不飽和脂肪族、脂環式、芳香族又はヘテロ環式炭化水素、例えばパラフィン及びワックス類；
・Ｎ−アルキルアミノトリアジン；
・モノステアリルホスフェート及びモノステアリルアルキルホスフェート；
・ポリオルガノシロキサンオイル又は樹脂（随意にシリカ粒子と組み合わされたもの）。
【０１５３】
柔軟仕上げ剤
これらは約０．５〜１０重量％の量で存在させることができ、例えばクレーである。
【０１５４】
酵素
これらは洗剤配合物１ｇ当たりに活性酵素５ｍｇまで、好ましくは約０．０５〜３ｍｇの範囲であってよい量で存在させることができ、例えば次のような酵素である：
・プロテアーゼ、アミラーゼ、リパーゼ、セルラーゼ及びペルオキシダーゼ（米国特許第３５５３１３９号、同第４１０１４５７号、同第４５０７２１９号、同第４２６１８６８号の各明細書）。
【０１５５】
その他の添加剤
他にもあるが特に次のものを挙げることができる：
・緩衝剤；
・香料；
・顔料。
【０１５６】
洗剤配合物は、特に洗濯機中では、約２５〜９０℃の温度において洗浄作業を実施するためには、０．５ｇ／リットル〜２０ｇ／リットル、好ましくは２ｇ／リットル〜１０ｇ／リットルの割合で用いることができる。
【０１５７】
本発明に従う予備配合添加剤は、テキスタイル繊維物品、特に布類の濯ぎ及び／又は柔軟仕上げ用の配合物中に存在させることができる。
【０１５８】
ポリマー（Ｐ）を含む予備配合添加剤と共に、次のもののようなタイプのその他の成分を存在させることができる：
・カチオン性界面活性剤（硫酸ジメチルで第四級化されたトリエタノールアミンジエステル、Ｎ−メチルイミダゾリンタローエステルメチルサルフェート、ジアルキルジメチルアンモニウムクロリド、アルキルベンジルジメチルアンモニウムクロリド、メチルアルキルイミダゾリニウムサルフェート、メチル−メチルビス（アルキルアミドエチル）−２−ヒドロキシエチルアンモニウムサルフェート等）の組合せ物：その量は前記配合物の３％〜５０％、好ましくは４％〜３０％の範囲であってよく、これは随意にノニオン性界面活性剤（エトキシル化脂肪族アルコール、エトキシル化アルキルフェノール等）（その量は３％までであってよい）と組み合わされていてよい；
・蛍光増白剤（０．１％〜０．２％）；
・随意としての色移り防止剤（ポリビニルピロリドン、ポリビニルオキサゾリドン、ポリメタクリルアミド等０．０３％〜２５％、好ましくは０．１％〜１５％）；
・着色剤；
・芳香剤；
・溶剤、特にアルコール（メタノール、エタノール、プロパノール、イソプロパノール、エチレングリコール又はグリセロール）；
・抑泡剤。
【０１５９】
好適なドラム式乾燥機における布類乾燥用の添加剤の場合、この添加剤は、例えば織若しくは不織布のストリップ又はセルロースのシートから成る柔軟な固体支持体に前記のポリマー（Ｐ）を含む予備配合添加剤を含ませたものから成る。このドラム式乾燥機添加剤は、ドラム乾燥を行う時に乾燥させるべき湿った布類中に導入され、約５０〜８０℃の温度において１０〜６０分間乾燥を行う。
【０１６０】
このドラム式乾燥機添加剤にはまた、上に挙げたようなカチオン性柔軟仕上げ剤（９９％まで）及び色移り防止剤（８０％まで）を含ませることもできる。
【０１６１】
事前しみ抜き剤の場合、これは固体（スティック）の形にあることができる。
【０１６２】
ポリマー（Ｐ）を含む予備配合添加剤と共に、次のようなタイプのその他の成分を存在させることができる：
・上に挙げたもののようなアニオン性界面活性剤（組成物の少なくとも５重量％の量）；
・上に挙げたもののようなノニオン性界面活性剤（組成物の１５〜４０重量％の範囲であってよい量）：
・脂肪族炭化水素（組成物の５〜２０重量％の範囲であってよい量）。
【０１６３】
本発明の最後の主題は、水性媒体又は湿った媒体中に前記予備配合添加剤を含む組成物でテキスタイル繊維物品を処理することによる該物品の手入れ方法から成る。このタイプの組成物及びポリマー（Ｐ）として表わした予備配合添加剤の量並びに用いることができるその他の添加剤については、すでに上で述べた通りである。
【実施例】
【０１６４】
以下の実施例は、例示のためのものである。
【０１６５】
粉末の形の予備配合添加剤の調製のために実施例で用いたポリマー（Ｐ）のナノラテックスは、各モノマー間の質量比が３７／５５／５／３であるメタクリル酸メチル／アクリル酸ブチル／メタクリル酸ヒドロキシエチル／メタクリル酸コポリマーの水性分散体であり、そのガラス転移温度Ｔｇは約１７℃であり、その平均粒子寸法（Malvern Instrument社からのZetasizer装置を用いた光散乱によって測定）は３５ｎｍであり、乾燥抽出物量は約３０％である。このナノラテックスは、その合成の際に乾燥コポリマーに対して５重量％のドデシル硫酸ナトリウムによって安定化されたものである。
【０１６６】
例１
上記のポリマー（Ｐ）のナノラテックスから、以下のものを使って粉末状の予備配合添加剤を下記のようにして調製する。
・ＩＣＩ社からのノニオン性界面活性剤Synperonic A7（エトキシル化脂肪族アルコール）の水溶液
・重量平均分子量が２０００ｇ／モルで活性物質含有率が６７％の非中和ポリアクリル酸の水溶液（Bevaloid社からのBevaloid 6778）
【０１６７】
手順：
・０．５ｇのSynperonic A7と１２ｇの水とを混合することによってSynperonic A7を４％含有する水溶液（１）を調製する；
・前記のポリマー（Ｐ）のナノラテックス２３ｇを水２４．５ｇ中に撹拌しながら希釈することによって、活性物質含有率１４．５％の分散体（２）を調製する；
・次いで溶液（１）を分散体（２）に撹拌しながら少しずつ添加する；添加を停止した後もさらに５分間撹拌を続ける；
・次いで前記混合物にポリアクリル酸水溶液を撹拌しながら少しずつ添加する；添加を停止した後もさらに５分間撹拌を続ける。
【０１６８】
以下のものを含有する水性分散体１００ｇが得られた：
・Synperonic A7  ０．５％
・乾燥ポリマー（Ｐ）  ６．９％
・乾燥ポリアクリル酸  ２６．８％
・脱イオン水  ６５．８％。
【０１６９】
次いでこの分散体をNiro Majeur噴霧乾燥機（入口空気温度＝１４０℃）を用いて乾燥させる。ポリマー（Ｐ）２６重量％を含有する粉末が得られた。
【０１７０】
例２
上記のポリマー（Ｐ）のナノラテックスから、マトリックスとしてショ糖を使って、粉末状の予備配合添加剤を下記のようにして調製する。ポリマー（Ｐ）のナノラテックスの合成から得られた量のドデシル硫酸ナトリウムは、分散体を安定化させるのに充分である。
【０１７１】
手順：
・ドデシル硫酸ナトリウム５％で安定化された乾燥抽出物含有率３０％のポリマー（Ｐ）のナノラテックス５０ｇに、市販のショ糖５０ｇを添加する；
・得られた分散体をオーブン中で５０℃において乾燥させる；得られた残渣を次いで微粉砕する。
【０１７２】
例３
洗剤配合物
【表２】
2005501183.tif 000003
【０１７３】
洗浄操作は、洗剤組成物配合業の専門家によく知られているTergotometer実験室装置を用いて実施する。この装置は、脈動タイプのアメリカ式洗濯機の機械的及び熱的作用をシミュレートするものであり、６つの洗濯ドラムが存在することによって一連の試験を同時に実施することを可能にし、時間をかなり節約することができる。
【０１７４】
仕上げ前の綿から２５×２５ｃｍの試験片を切り取る。これらの綿の試験片を最初に洗浄前にそれら全部のしわが同程度になるようにアイロン掛けをする。
【０１７５】
次いでそれらを、例１又は２で調製した予備配合添加剤を含有する前記洗剤配合物を用いて、次の条件下で洗浄し、一度濯ぐ：
・Tergotometerのドラム当たりの試験片の数：２
・水の容量：１リットル
・Contrexeville（登録商標）ブランドのミネラルウォーターで適宜希釈することによって得られるフランス式硬度３０°ＴＨの水
・洗浄用物質濃度：５ｇ／リットル
・洗浄温度：４０℃
・洗浄時間：２０分間
・Tergotometerの回転速度：１００ｒｐｍ
・冷水（約３０°ＴＨ）による濯ぎ
・濯ぎ時間：５分間。
【０１７６】
次いで試験片を３ｋｇのプレス下で２０秒間折り目付けし、その後にそれらを垂直の状態で一晩乾燥させる。
【０１７７】
予備配合添加剤を含有しないこと以外は同じ洗剤配合物を用いて同じ操作を実施する。
【０１７８】
次いで乾いた試験片のデジタルカラー写真を撮り、次いでそれを２５６グレースケールレベルに変換する（０〜２５５のグレースケール）。
各グレースケールレベルに対応するピクセル数をカウントする。
【０１７９】
得られたそれぞれのヒストグラムについて、グレースケールレベルの分布の標準偏差σを決定する。
σ１は予備配合添加剤を含有しない洗剤配合物について得られた標準偏差に相当する。
σ２は予備配合添加剤を含有する洗剤配合物について得られた標準偏差に相当する。
【０１８０】
式−Δσ＝σ２−σ１によって性能値が与えられる。
【０１８１】
得られた性能値は次の通りである。
【表３】
2005501183.tif 000004
【０１８２】
これらの正の値−Δσは、本発明に従う予備配合添加剤を含む洗剤配合物によって防しわ特性がもたらされることを表わしている。
【０１８３】
マトリックスＭは予備配合添加剤の防しわ特性に対して何の影響も持たない。
【国際公開パンフレット】
2005501183.tif 000005
2005501183.tif 000006
2005501183.tif 000007
2005501183.tif 000008
2005501183.tif 000009
2005501183.tif 000010
2005501183.tif 000011
2005501183.tif 000012
2005501183.tif 000013
2005501183.tif 000014
2005501183.tif 000015
2005501183.tif 000016
2005501183.tif 000017
2005501183.tif 000018
2005501183.tif 000019
2005501183.tif 000020
2005501183.tif 000021
2005501183.tif 000022
2005501183.tif 000023
2005501183.tif 000024
2005501183.tif 000025
2005501183.tif 000026
2005501183.tif 000027
2005501183.tif 000028
2005501183.tif 000029
2005501183.tif 000030
2005501183.tif 000031
2005501183.tif 000032
2005501183.tif 000033
2005501183.tif 000034
2005501183.tif 000035
2005501183.tif 000036
2005501183.tif 000037
2005501183.tif 000038
2005501183.tif 000039
2005501183.tif 000040
2005501183.tif 000041
2005501183.tif 000042
2005501183.tif 000043
2005501183.tif 000044
2005501183.tif 000045
2005501183.tif 000046
2005501183.tif 000047
2005501183.tif 000048
2005501183.tif 000049
2005501183.tif 000050
2005501183.tif 000051
2005501183.tif 000052
2005501183.tif 000053
2005501183.tif 000054
2005501183.tif 000055
2005501183.tif 000056
【国際調査報告】
2005501183.tif 000057
2005501183.tif 000058
2005501183.tif 000059
2005501183.tif 000060
2005501183.tif 000061
2005501183.tif 000062
2005501183.tif 000063
2005501183.tif 000064